(57)【要約】【課題】高速に複製光記録情報媒体の製造を可能とする複製用原盤の製造装置、複製ホログラム記録媒体の製造装置および複製用ホログラム原盤を提供し、さらに複製ホログラム記録媒体の製造方法を提供する。【解決手段】複製ホログラム記録媒体の製造装置では、位置決め手段は、複製用原盤６０Ｂと複製ホログラム記録媒体８０Ａとの相対位置を所定配置とする。角度選択板９０は、複製用原盤６０Ｂと複製ホログラム記録媒体８０Ａとの間に配置されるものであり、この角度選択板９０は光ビームの入射角度に応じて透過率が変化する角度選択膜９０ａを有する。レーザ光源からの複製用参照光８５は複製用原盤６０Ｂの記録層６０ａの所定領域を透過し、角度選択膜９０ａで反射する入射角度で照射される。【選択図】図１２
2008027531.tif 000002
【特許請求の範囲】
【請求項１】
記録データを担持するホログラムを複製ホログラム記録媒体に複製するために用いる複製用原盤の製造装置であって、
レーザ光源からの光ビームをコアクシャル光と原盤製造用参照光とに分割するビームスプリッタと、
前記コアクシャル光に空間光変調を施して、所定の参照光と記録データに応じた信号光とを同軸状に配置した被変調コアクシャル光を生成する空間光変調器と、
前記複製ホログラム記録媒体を複製するときに発生する収差を予め補正して、前記被変調コアクシャル光を前記複製用原盤の記録層に集光させる集光手段と、
前記原盤製造用参照光と前記被変調コアクシャル光とが干渉してホログラムが形成される前記記録層の位置を移動させるホログラム形成位置移動手段と、
を備える複製用原盤の製造装置。
【請求項２】
記録データを担持するホログラムを複製ホログラム記録媒体に複製するために用いる複製用原盤の製造装置であって、
レーザ光源からの光ビームをコアクシャル光と原盤製造用参照光とに分割するビームスプリッタと、
前記コアクシャル光に空間光変調を施して、所定の参照光と記録データに応じた信号光とを同軸状に配置した被変調コアクシャル光を生成する空間光変調器と、
前記被変調コアクシャル光を前記複製用原盤の記録層に集光させる集光手段と、
前記原盤製造用参照光と前記被変調コアクシャル光とが干渉してホログラムが形成される前記記録層の位置を移動させるホログラム形成位置移動手段と、を備え、
ホログラムを記録する記録層と、所定偏光方向の光ビームに対しては入射角度によらず前記ホログラムを形成するのに十分な透過率を有し、前記所定偏光方向とは異なる偏光方向に対しては光ビームの入射角度に応じて透過率が変化する偏光依存性角度選択膜とを有してなる前記複製用原盤に対し、
前記所定偏光方向とした前記原盤製造用参照光と前記被変調コアクシャル光とを照射することを特徴とする複製用原盤の製造装置。
【請求項３】
前記集光手段は、
対物レンズとダミーガラスとから形成され、
前記ダミーガラスは前記複製ホログラム記録媒体を複製するときに発生する収差を予め補正することを特徴とする請求項１または請求項２に記載の複製用原盤の製造装置。
【請求項４】
前記集光手段は、
前記複製ホログラム記録媒体を複製するときに発生する収差を予め補正するような収差を有して、前記被変調コアクシャル光を前記複製用原盤の記録層に集光させる対物レンズで形成されることを特徴とする請求項１または請求項２に記載の複製用原盤の製造装置。
【請求項５】
前記ホログラム形成位置移動手段は、円版形状とされる前記複製用原盤の中心点を回転中心として回転させるスピンドルモータを有することを特徴とする請求項１または請求項２に記載の複製用原盤の製造装置。
【請求項６】
前記スピンドルモータのスピンドルモータ回転軸の回転角度に同期して、前記原盤製造用参照光の入射方向を移動させることを特徴とする請求項５に記載の複製用原盤の製造装置。
【請求項７】
前記スピンドルモータのスピンドルモータ回転軸の回転角度に同期して、前記原盤製造用参照光の入射方向、前記プリズムの位置、光軸を中心とする前記被変調コアクシャル光の位置および前記空間光変調器に表示される像を回転させることを特徴とする請求項５に記載の複製用原盤の製造装置。
【請求項８】
複製用原盤に形成された記録データを担持するホログラムを複製ホログラム記録媒体に複製する複製ホログラム記録媒体の製造装置であって、
前記複製用原盤と前記複製ホログラム記録媒体との相対位置を所定配置とする位置決め手段と、
前記複製用原盤と前記複製ホログラム記録媒体との間に配置される、光ビームの入射角度に応じて透過率が変化する角度選択膜を有する角度選択板と、
前記複製用参照光を発生させるとともに、前記複製用原盤の記録層の所定領域を透過し、前記角度選択膜で反射する入射角度で前記複製用参照光を照射させる複製用参照光発生照射手段と、を備える複製ホログラム記録媒体の製造装置。
【請求項９】
複製用原盤に形成された記録データを担持するホログラムを複製ホログラム記録媒体に複製する複製ホログラム記録媒体の製造装置であって、
前記複製用原盤と前記複製ホログラム記録媒体との相対位置を所定配置とする位置決め手段と、
前記複製用原盤と前記複製ホログラム記録媒体との間に配置される、所定偏光方向の光ビームに対しては入射角度によらず前記複製ホログラム記録媒体にホログラムを形成するのに十分な透過率を有し、前記所定偏光方向とは異なる偏光方向に対しては光ビームの入射角度に応じて透過率が変化する偏光依存性角度選択膜を有する偏光依存性角度選択板と、
前記複製用参照光を発生させるとともに、前記複製用原盤の記録層の所定領域を透過し、前記偏光依存性角度選択膜で反射する入射角度で前記所定偏光方向とは異なる偏光方向を有する前記複製用参照光を照射させる複製用参照光発生照射手段と、を備える複製ホログラム記録媒体の製造装置。
【請求項１０】
前記複製用参照光発生照射手段は、
スポット形状の前記複製用参照光を発生させるレーザ光源と、
前記所定領域に前記複製用参照光を照射するための、前記複製用原盤と前記複製ホログラム記録媒体とをともに回転させるスピンドルモータおよび前記スピンドルモータを移動させる移動台座と、
を具備する請求項８または請求項９に記載の複製ホログラム記録媒体の製造装置。
【請求項１１】
前記複製用参照光発生照射手段は、
スポット形状の前記複製用参照光を発生させるレーザ光源と、
前記スポット形状の前記複製用参照光を帯状の前記複製用参照光に整形するアナモプリズムと、
前記所定領域に前記複製用参照光を照射するための、前記複製用原盤と前記複製ホログラム記録媒体とをともに回転させるスピンドルモータと、
を具備する請求項８または請求項９に記載の複製ホログラム記録媒体の製造装置。
【請求項１２】
前記複製用参照光発生照射手段は、
スポット形状の前記複製用参照光を発生させるレーザ光源と、
前記スポット形状の前記複製用参照光を帯状の前記複製用参照光に整形する第１のアナモプリズムと、
前記帯状の前記複製用参照光の短手方向の長さを拡張して前記所定領域を覆う範囲の広さの前記複製用参照光に整形する第２のアナモプリズムと、
を具備する請求項８または請求項９に記載の複製ホログラム記録媒体の製造装置。
【請求項１３】
記録データを担持するホログラムを複製ホログラム記録媒体に複製するために用いる円盤形状の複製用原盤であって、
前記ホログラムが形成された記録層と、
所定偏光方向の光ビームに対しては入射角度によらず前記ホログラムを形成するのに十分な透過率を有し、前記所定偏光方向とは異なる偏光方向に対しては光ビームの入射角度に応じて透過率が変化する偏光依存性角度選択膜と、
を備える複製用原盤。
【請求項１４】
記録データを担持する複製用原盤に形成されたホログラムを複製ホログラム記録媒体に複製する複製ホログラム記録媒体の製造方法であって、
前記複製用原盤の記録層と前記複製ホログラム記録媒体の記録層との間に、光ビームの入射角度に応じて透過率が変化する角度選択膜を配置し、
前記複製用原盤のホログラムが形成された記録層を透過して前記角度選択膜で反射する入射角度で複製用参照光を照射させる、
複製ホログラム記録媒体の製造方法。
【請求項１５】
記録データを担持する複製用原盤に形成されたホログラムを複製ホログラム記録媒体に複製する複製ホログラム記録媒体の製造方法であって、
前記複製用原盤の記録層と前記複製ホログラム記録媒体の記録層との間に、所定偏光方向の光ビームに対しては入射角度によらず前記複製ホログラム記録媒体にホログラムを形成するのに十分な透過率を有し、前記所定偏光方向とは異なる偏光方向に対しては光ビームの入射角度に応じて透過率が変化する偏光依存性角度選択膜を配置し、
前記複製用原盤のホログラムが形成された記録層を透過して前記偏光依存性角度選択膜で反射する入射角度で前記所定偏光方向とは異なる偏光方向を有する複製用参照光を照射させる、複製ホログラム記録媒体の製造方法。
【発明の詳細な説明】
【技術分野】
【０００１】
本発明は、複製ホログラム記録媒体の製造方法、複製用原盤の製造装置、複製ホログラム記録媒体の製造装置および複製用原盤に関する。
【背景技術】
【０００２】
近年、高記録密度を達成するとともに、高転送速度で記録データを記録再生することが可能なデータストレージデバイスとしてホログラフィックメモリが注目を集めている。ホログラフィックメモリでは、記録媒体の厚み方向も活用し、記録に際しては、２次元の情報を１ページ単位として記録データに応じたページデータに基づき参照光と信号光との干渉縞を、ホログラム記録媒体の中にホログラムとして形成して、３次元的に一度に記録するものである。また、再生に際しては、このようにして形成されたホログラムに参照光を照射して発生する回折光を得て記録データを再生する（特許文献１、非特許文献１を参照）。
【０００３】
一方、ＣＤ（Ｃｏｍｐａｃｔ  Ｄｉｓｃ）フォーマット、ＤＶＤ（Ｄｉｇｉｔａｌ  Ｖｅｒｓａｔｉｌｅ  Ｄｉｓｃ）フォーマットに基づくデータストレージデバイスが、現在、広く普及している。これらの技術においては、記録媒体に追記、再書換が可能とされる記録媒体のみではなく、多量に複製して頒布できるＣＤ−ＲＯＭ、ＤＶＤ−ＲＯＭで代表されるＲＯＭ媒体（再生専用媒体）が広く用いられている。ＣＤ−ＲＯＭ、ＤＶＤ−ＲＯＭにおいては、複製用原盤であるマスター盤を製作し、あるいは、マスター盤からさらにマザー盤を製作し、マスター盤またはマザー盤を原盤として、この原盤の型に樹脂を流して成型して、原盤のレプリカであるＣＤ−ＲＯＭ、ＤＶＤ−ＲＯＭを大量に製造する手法が採用されている。
【０００４】
ホログラム記録媒体においても、上述した、ＣＤ−ＲＯＭ、ＤＶＤ−ＲＯＭと同様に、同一形状のホログラムが形成されたホログラム記録媒体を多量に複製することが考えられている。このような技術については特許文献２に開示されている。特許文献２では、記録済みのホログラム記録媒体を多量に複製するための元となる光記録情報媒体への光情報記録方法、このような元となる光記録情報媒体を用いての他の光記録情報媒体への光情報記録方法が開示されている。このような技術においては、如何に高速に多量の複製光記録情報媒体へ記録できるかが重要な技術ポイントとされている。
【０００５】
特許文献２は、この点に鑑み、複製するための元となる光情報記録媒体への光情報記録方法としては、情報を担持した情報光と記録用参照光とからなる仮想情報光を生成して、仮想情報光および仮想記録用参照光を光情報記録媒体に照射するようにしている。また、複製光情報記録媒体への光情報記録方法としては、元となる光情報記録媒体に仮想再生用参照光を照射して、元となる光情報記録媒体から発生する仮想情報光を光情報記録媒体に照射する光情報記録方法が記述され、大口径の対物レンズを用いて仮想情報光を一度に光情報記録媒体に照射する技術が開示されている。
【０００６】
また、非特許文献２においては、マスター（原盤）とレプリカ（複製盤）とを隣接配置し、再生の参照光とレプリカ転写への参照光とを共有させて複製盤を複製する技術が開示されている。
【特許文献１】特開２００４−２２６８２１号公報
【特許文献２】国際公開ＷＯ２００５／０３８７８９Ａ１  パンフレット
【非特許文献１】日経エレクトロニクス２００５年１月１７日号１０６頁〜１１４頁
【非特許文献２】F.Mok  “Holographic Read-Only Memory”in Holographic Data Storage, H.J.Coufal, D.Psaltis, and G.Sincerbox, eds.,(Springer-Verlag, New York, 2000)
【発明の開示】
【発明が解決しようとする課題】
【０００７】
特許文献２に開示された光情報記録方法では、高速に多量の複製光記録情報媒体へ記録場合には、複製光記録情報媒体のサイズに応じて、対物レンズの直径を大きくすることが要求される。ところが、高解像度の大口径の対物レンズの製造は極めて困難であり、このために、直径の大きな対物レンズは高価である。このような原因から、このような光情報記録方法の採用には困難があった。本発明はかかる課題を解決して、背景技術に示すよりも、より安価な製造設備によって高速に複製光記録情報媒体の製造を可能とするためのホログラム記録媒体の複製用原盤の製造装置、複製ホログラム記録媒体の製造装置および複製用ホログラム原盤を提供し、また、背景技術に示すよりも、より簡便でありながら、高速な製造を可能とする複製ホログラム記録媒体の製造方法を提供することを目的とする。
【課題を解決するための手段】
【０００８】
本発明の複製用原盤の製造装置は、記録データを担持するホログラムを複製ホログラム記録媒体に複製するために用いる複製用原盤の製造装置であって、レーザ光源からの光ビームをコアクシャル光と原盤製造用参照光とに分割するビームスプリッタと、前記コアクシャル光に空間光変調を施して、所定の参照光と記録データに応じた信号光とを同軸状に配置した被変調コアクシャル光を生成する空間光変調器と、前記複製ホログラム記録媒体を複製するときに発生する収差を予め補正して、前記被変調コアクシャル光を前記複製用原盤の記録層に集光させる集光手段と、前記原盤製造用参照光と前記被変調コアクシャル光とが干渉してホログラムが形成される前記記録層の位置を移動させるホログラム形成位置移動手段と、を備える。
【０００９】
この複製用原盤の製造装置では、ビームスプリッタは、レーザ光源からの光ビームをコアクシャル光と原盤製造用参照光とに分割する。空間光変調器は、コアクシャル光に空間光変調を施して、所定の参照光と記録データに応じた信号光とを同軸状に配置した被変調コアクシャル光を生成する。集光手段は、複製ホログラム記録媒体を複製するときに発生する収差を予め補正して、被変調コアクシャル光を複製用原盤の記録層に集光させる。ホログラム形成位置移動手段は、原盤製造用参照光と被変調コアクシャル光とが干渉してホログラムが形成される記録層の位置を移動させる。
【００１０】
本発明の複製用原盤の製造装置は、記録データを担持するホログラムを複製ホログラム記録媒体に複製するために用いる複製用原盤の製造装置であって、レーザ光源からの光ビームをコアクシャル光と原盤製造用参照光とに分割するビームスプリッタと、前記コアクシャル光に空間光変調を施して、所定の参照光と記録データに応じた信号光とを同軸状に配置した被変調コアクシャル光を生成する空間光変調器と、前記被変調コアクシャル光を前記複製用原盤の記録層に集光させる集光手段と、前記原盤製造用参照光と前記被変調コアクシャル光とが干渉してホログラムが形成される前記記録層の位置を移動させるホログラム形成位置移動手段と、を備え、ホログラムを記録する記録層と、所定偏光方向の光ビームに対しては入射角度によらず前記ホログラムを形成するのに十分な透過率を有し、前記所定偏光方向とは異なる偏光方向に対しては光ビームの入射角度に応じて透過率が変化する偏光依存性角度選択膜とを有してなる前記複製用原盤に対し、前記所定偏光方向とした前記原盤製造用参照光と前記被変調コアクシャル光とを照射することを特徴とする。
【００１１】
この複製用原盤の製造装置では、ビームスプリッタは、レーザ光源からの光ビームをコアクシャル光と原盤製造用参照光とに分割する。空間光変調器は、コアクシャル光に空間光変調を施して、所定の参照光と記録データに応じた信号光とを同軸状に配置した被変調コアクシャル光を生成する。集光手段は、被変調コアクシャル光を複製用原盤の記録層に集光させる。ホログラム形成位置移動手段は、原盤製造用参照光と被変調コアクシャル光とが干渉してホログラムが形成される記録層の位置を移動させる。そして、ホログラムを記録する
複製用原盤は記録層と、偏光依存性角度選択膜とを有してなるものである。ここで、偏光依存性角度選択膜は、所定偏光方向の光ビームに対しては入射角度によらず前記ホログラムを形成するのに十分な透過率を有し、所定偏光方向とは異なる偏光方向に対しては光ビームの入射角度に応じて透過率が変化する性質を有するものである。このような複製原盤に対し、所定偏光方向とした原盤製造用参照光と被変調コアクシャル光とを照射して複製用原盤にホログラムを形成する。
【００１２】
本発明の複製ホログラム記録媒体の製造装置は、複製用原盤に形成された記録データを担持するホログラムを複製ホログラム記録媒体に複製する複製ホログラム記録媒体の製造装置であって、前記複製用原盤と前記複製ホログラム記録媒体との相対位置を所定配置とする位置決め手段と、前記複製用原盤と前記複製ホログラム記録媒体との間に配置される、光ビームの入射角度に応じて透過率が変化する角度選択膜を有する角度選択板と、前記複製用参照光を発生させるとともに、前記複製用原盤の記録層の所定領域を透過し、前記角度選択膜で反射する入射角度で前記複製用参照光を照射させる複製用参照光発生照射手段と、を備える。
【００１３】
この発明の複製ホログラム記録媒体の製造装置では、位置決め手段は、複製用原盤と複製ホログラム記録媒体との相対位置を所定配置とする。角度選択板は、複製用原盤と複製ホログラム記録媒体との間に配置されるものであり、この角度選択板は光ビームの入射角度に応じて透過率が変化する角度選択膜を有する。複製用参照光発生照射手段は、複製用参照光を発生させるとともに、複製用原盤の記録層の所定領域を透過し、角度選択膜で反射する入射角度で複製用参照光を照射させる。
【００１４】
本発明の複製ホログラム記録媒体の製造装置は、複製用原盤に形成された記録データを担持するホログラムを複製ホログラム記録媒体に複製する複製ホログラム記録媒体の製造装置であって、前記複製用原盤と前記複製ホログラム記録媒体との相対位置を所定配置とする位置決め手段と、前記複製用原盤と前記複製ホログラム記録媒体との間に配置される、所定偏光方向の光ビームに対しては入射角度によらず前記複製ホログラム記録媒体にホログラムを形成するのに十分な透過率を有し、前記所定偏光方向とは異なる偏光方向に対しては光ビームの入射角度に応じて透過率が変化する偏光依存性角度選択膜を有する偏光依存性角度選択板と、前記複製用参照光を発生させるとともに、前記複製用原盤の記録層の所定領域を透過し、前記偏光依存性角度選択膜で反射する入射角度で前記所定偏光方向とは異なる偏光方向を有する前記複製用参照光を照射させる複製用参照光発生照射手段と、を備える。
【００１５】
この発明の複製ホログラム記録媒体の製造装置では、位置決め手段は、複製用原盤と複製ホログラム記録媒体との相対位置を所定配置とする。偏光依存性角度選択板は、複製用原盤と複製ホログラム記録媒体との間に配置されるものである、そして、偏光依存性角度選択板は、所定偏光方向の光ビームに対しては入射角度によらず複製ホログラム記録媒体にホログラムを形成するのに十分な透過率を有し、所定偏光方向とは異なる偏光方向に対しては光ビームの入射角度に応じて透過率が変化する偏光依存性角度選択膜を有する。複製用参照光発生照射手段は、複製用参照光を発生させるとともに、複製用原盤の記録層の所定領域を透過し、偏光依存性角度選択膜で反射する入射角度で前記所定偏光方向とは異なる偏光方向を有する複製用参照光を照射させる。
【００１６】
本発明の複製用原盤は、記録データを担持するホログラムを複製ホログラム記録媒体に複製するために用いる円盤形状の複製用原盤であって、前記ホログラムが形成された記録層と、所定偏光方向の光ビームに対しては入射角度によらず前記ホログラムを形成するのに十分な透過率を有し、前記所定偏光方向とは異なる偏光方向に対しては光ビームの入射角度に応じて透過率が変化する偏光依存性角度選択膜と、を備える。
【００１７】
この発明の複製用原盤では、記録層にはホログラムが形成されている。偏光依存性角度選択膜は所定偏光方向の光ビームに対しては入射角度によらず前記ホログラムを形成するのに十分な透過率を有し、所定偏光方向とは異なる偏光方向に対しては光ビームの入射角度に応じて透過率が変化する。
【００１８】
本発明の複製ホログラム記録媒体の製造方法は、記録データを担持する複製用原盤に形成されたホログラムを複製ホログラム記録媒体に複製する複製ホログラム記録媒体の製造方法であって、前記複製用原盤の記録層と前記複製ホログラム記録媒体の記録層との間に、光ビームの入射角度に応じて透過率が変化する角度選択膜を配置し、前記複製用原盤のホログラムが形成された記録層を透過して前記角度選択膜で反射する入射角度で複製用参照光を照射させる。
【００１９】
この発明の複製ホログラム記録媒体の製造方法では、複製用原盤の記録層と複製ホログラム記録媒体の記録層との間に、光ビームの入射角度に応じて透過率が変化する角度選択膜を配置する。複製用原盤のホログラムが形成された記録層を透過して前記角度選択膜で反射する入射角度で複製用参照光を照射させる。
【００２０】
本発明の複製ホログラム記録媒体の製造方法は、記録データを担持する複製用原盤に形成されたホログラムを複製ホログラム記録媒体に複製する複製ホログラム記録媒体の製造方法であって、前記複製用原盤の記録層と前記複製ホログラム記録媒体の記録層との間に、所定偏光方向の光ビームに対しては入射角度によらず前記複製ホログラム記録媒体にホログラムを形成するのに十分な透過率を有し、前記所定偏光方向とは異なる偏光方向に対しては光ビームの入射角度に応じて透過率が変化する偏光依存性角度選択膜を配置し、前記複製用原盤のホログラムが形成された記録層を透過して前記偏光依存性角度選択膜で反射する入射角度で前記所定偏光方向とは異なる偏光方向を有する複製用参照光を照射させる。
【００２１】
この発明の複製ホログラム記録媒体の製造方法では、複製用原盤の記録層と複製ホログラム記録媒体の記録層との間に、所定偏光方向の光ビームに対しては入射角度によらず複製ホログラム記録媒体にホログラムを形成するのに十分な透過率を有し、所定偏光方向とは異なる偏光方向に対しては光ビームの入射角度に応じて透過率が変化する偏光依存性角度選択膜を配置する。複製用原盤のホログラムが形成された記録層を透過して偏光依存性角度選択膜で反射する入射角度で前記所定偏光方向とは異なる偏光方向を有する複製用参照光を照射させる。
【発明の効果】
【００２２】
本発明によれば、安価な製造設備によって高速に複製光記録情報媒体の製造を可能とするためのホログラム記録媒体の複製用原盤の製造装置、複製ホログラム記録媒体の製造装置および複製用原盤を提供し、また、安価でありながら高速に製造を可能とする複製ホログラム記録媒体の製造方法を提供できる。
【発明を実施するための最良の形態】
【００２３】
以下、本発明の実施形態を順に説明する。まず、実施形態の説明に先立ち、コアクシャル光学系を有してなるコアクシャル方式のホログラム記録再生装置の一例について簡単に説明する。このホログラム記録再生装置は、ホログラム記録媒体に記録データに応じたホログラムを記録し、ホログラム記録媒体の記録データを担持するホログラムから記録データを再生する装置である。次に、実施形態の説明として、ホログラム記録媒体の複製用原盤の製造装置、製造方法およびそれに用いるに好適なる複製用原盤について説明する。さらに、そのような複製用原盤を用いた、複製ホログラム記録媒体の製造装置および複製ホログラム記録媒体の製造方法について説明する。最後に、これらの実施形態のいくつかの変形例について説明する。ここで、複製ホログラム記録媒体の用語の内容は以下において詳述されるが、要約すれば、複製用原盤の記録データを担持するホログラムを複製したホログラム記録媒体であって、いわゆる、ＲＯＭ（Ｒｅａｄ  Ｏｎｌｙ  Ｍｅｍｏｒｙ）としての機能のみを有するホログラム記録媒体と、ＲＯＭ領域に加えて追記可能な領域も有するホログラム記録媒体との両方を含むものである。
【００２４】
（コアクシャル方式のホログラム記録再生装置）
コアクシャル方式のホログラム記録装置では、後述する信号光と参照光との各々を同軸状（コアクシャル）に配置し、このような配置を有することによって、信号光が通過する光路と参照光が通過する光路との各々を構成する光学部品の少なくとも一部を共有する。このような構成によって、複製ホログラム記録媒体を含むホログラム記録媒体の記録再生を行うことができるため、ホログラム記録装置（以下、記録再生装置と省略する場合ものある）の光学部の簡略化ができる。さらに従来のＣＤ、ＤＶＤなどの光ディスクとの互換性が比較的に容易であるために、将来の記録再生装置として注目を集めている。
【００２５】
図１にコアクシャル方式のホログラム記録装置の要部としての光学部１０の概念図を示す。光学部１０は、レーザ光源２０、偏光ビームスプリッタ２２、液晶等で形成された空間光変調器２３、フーリエ変換レンズ２４、アイリス２５、フーリエ変換レンズ２６、１／４波長板２７、対物レンズ２８を主要なる光学部品として備える。ここで、レーザ光源２０は、シングルモードレーザ、アナモプリズム、パワーモニタ、アイソレータ、シャッタおよび空間フィルタ（いずれも図示しない）を有してなるものである。
【００２６】
レーザ光源２０のシングルモードレーザは、例えば、外部共振型レーザであって、シングルモードの光ビームを出射する。そして、光ビームは、アナモプリズムを通過してビームプロファイルを整形され、パワーモニタを通過することによって光ビーム強度を測定され、アイソレータを通過することによってシングルモードレーザへの戻り光が遮断され、シャッタを通過することによってシャッタがオンかオフかによって光ビームがそれ以降の光学部品を通過するか否かが制御され、空間フィルタを通過することによって収差を補正して良好な波長特性を有するものとなされる。
【００２７】
そして、さらに、光ビームは、図１に図示される光学部品で構成される以下の光路を通過する。光ビームは、偏光ビームスプリッタ２２で反射されて、空間光変調器２３に照射される。そして、空間光変調器２３に表示されるパターンに応じて変調を受けた光ビームを反射する。空間光変調器２３で光ビームが反射する際に偏光方向はπ／２変化する。ここで、空間光変調器２３は記録データに基づく信号光パターンを表示する信号光空間光変調部と参照光パターンを表示する参照光空間光変調部との２つの光ビームの反射領域を有している。
【００２８】
例えば、図２に図示するがごとく空間光変調器２３の外周部に中空のリング形状として参照光空間光変調部３１ａが、空間光変調器２３の内周部に円形の形状として信号光空間光変調部３１ｂが、同軸状に形成されている。図３に模式的に図示するがごとく、これらの反射領域で反射される光ビームは、同じ中心線を有して同軸状に配置される信号光１０３ｂおよび参照光１０３ａとして、この中心線を光学部品の光軸と一致させてフーリエ変換レンズ２４、アイリス２５、フーリエ変換レンズ２６、１／４波長板２７、対物レンズ２８を通過する。すなわち、信号光と参照光とが光路を共通として、通常の記録と再生のために用いられるホログラム記録媒体５０に入射される。
【００２９】
ここで、通常のホログラム記録媒体５０とは、後述する実施形態の製造装置、製造方法を用いて製造した複製ホログラム記録媒体とは異なりＲＯＭとしての機能を有しない記録再生が可能な媒体である。ホログラム記録媒体５０は、保持基板５０ｃ、記録層５０ａ、保持基板５０ｂ、反射層５０ｄ、保護層５０ｅを有している。保持基板５０ｃおよび保持基板５０ｂの各々は光ビームを透過するガラス、ポリカーボネイト等の材料で形成されている。記録層５０ａは、例えば、フォトポリマーで形成されている。反射層５０ｄは、例えば、アルミで形成され、保護層５０ｅは例えば、樹脂で形成されている。なお、後述する複製ホログラム記録媒体は、このような、ホログラム記録媒体５０と記録再生の互換性を有している。
【００３０】
そして、図３に図示するがごとく、信号光１０３ｂと参照光１０３ａとの干渉は主にフーリエ領域（フランフォーファー領域）近傍において生じ、この領域には、フォトポリマー等で形成された記録層５０ａが配されている。そして、この干渉の態様に応じて記録層５０ａのモノマーがポリマーに変化し、微小領域における屈折率が変化をして、屈折率パターンに応じた回折格子（ホログラム）として記録データが記録される。ここで、フーリエ変換レンズ２４はフーリエ像形成面を作り出すために、アイリス２５はそのフーリエ像形成面で余分な光を遮蔽するために、フーリエ変換レンズ２６は再び実像形成面を作り出すために、１／４波長板２７は直線偏光を円偏光に変換するために、対物レンズ２８は信号光および参照光を記録層５０ａの所定領域に集光するために、各々用いられる。
【００３１】
次に、再び図１を参照して、コアクシャル方式のホログラム再生装置の要部としての光学部１０について説明する。コアクシャル方式のホログラム再生装置では、上述した、レーザ光源２０、偏光ビームスプリッタ２２、空間光変調器２３、フーリエ変換レンズ２４、アイリス２５、フーリエ変換レンズ２６、１／４波長板２７、対物レンズ２８に加えて、ＣＣＤ（Ｃｈａｒｇｅ  Ｃｕｐｌｅｄ  Ｄｅｖｉｃｅ）またはＣＯＳセンサ等のイメージセンサ２９を備える。
【００３２】
再生においては、空間光変調器２３の参照光空間光変調部に参照光パターンのみを表示させ、信号光空間光変調部３１ｂ（図２を参照）は全黒のパターン（光ビームの反射を阻止するパターン）とする。そして、記録時と同様に、レーザ光源２０からの光ビームは、偏光ビームスプリッタ２２で反射されて、空間光変調器２３で再び反射する。そして、空間光変調器２３は、上述したようにして、参照光空間光変調部３１ａ（図２を参照）のみで光変調を受けて反射する光ビームは、フーリエ変換レンズ２４、アイリス２５、フーリエ変換レンズ２６、１／４波長板２７、対物レンズ２８を通過し、ホログラム記録媒体５０の記録層５０ａに入射される。
【００３３】
ここで、この参照光によって記録層５０ａに形成されたホログラムに応じた再生光（回折光）が生じ、反射層５０ｄで反射する。この再生光は、対物レンズ２８、１／４波長板２７、フーリエ変換レンズ２６、アイリス２５、フーリエ変換レンズ２４の順に各々の光学部品を通過して、１／４波長板２７によって再生光の偏光方向がπ／２変化させられて直線偏光となり、偏光ビームスプリッタ２２の作用によって光ビームの進行方向を変化させられた再生光は、イメージセンサ２９に照射される。そして、このイメージセンサ２９から得られる電気信号はホログラムの形状、すなわち、記録データに応じた信号であるので、図示しない制御部において、この電気信号から記録データが再生できる。
【００３４】
ここで、コアクシャル方式のホログラム記録再生装置（記録および再生の両方が行える装置）においては、上述した、記録の動作にかかる光学部品と、上述した、再生の動作にかかる光学部品とのすべてを備えるものとして光学系は構成されている。また、コアクシャル方式のホログラム記録装置においては、上述した、記録の動作にかかる光学部品のみを備え、また、コアクシャル方式のホログラム再生装置においては、上述した、再生の動作にかかる光学部品のみを備えるものである。
【００３５】
（ホログラム記録媒体の複製のための複製用原盤の製造装置、製造方法および複製用原盤について）
図１に示す光学部１０を有するホログラム再生装置によって記録データの再生を可能とし、または、追記可能な領域を有する場合には追記（記録）と再生とを可能とする複製ホログラム記録媒体を製造するための原盤（以下、複製用原盤と省略して用いる）の製造装置（以下、複製用原盤製造装置と省略して用いる）の主要部を図４、図５、図６、図９および図１１を参照して説明する。また、図７、図８および図１０を参照して複製用原盤製造装置の動作の説明をする。図４ないし図８は、第１実施形態の複製用原盤を製造するための技術について説明するための図であり、図９ないし図１１は、第２実施形態の複製用原盤を製造するための技術について説明するための図である。ここで、ホログラムが形成される前の未記録の複製用原盤、または、ホログラムが一部記録されているが、予定されているすべての領域（所定領域）に形成されていない複製用原盤には複製用原盤６０Ａの符号を付し、第１実施形態の複製用原盤には複製用原盤６０Ｂの符号を付し、第２実施形態の複製用原盤には複製用原盤６０Ｃの符号を付して以下の説明をおこなう。
【００３６】
（第１実施形態の複製用原盤およびその製造技術について）
図４は、図１に示す光学部１０を有するホログラム再生装置によって記録データの再生を可能とする、複製ホログラム記録媒体を複製するための原盤である複製用原盤の製造装置の主要部である光学部１００を示すものである。図５は、図４に示す光学部１００の部分拡大図を示すものである。以下、図４および図５に沿って第１実施形態の複製用原盤を製造する技術について説明する。
【００３７】
図４に示す複製用原盤の製造装置の主要部である光学部１００は、レーザ光源３０、半波長板４０、偏光ビームスプリッタ３２ａ、偏光ビームスプリッタ３２ｂ、偏光ビームスプリッタ３２ｂ、液晶等で形成された空間光変調器３３ａ、フーリエ変換レンズ３４、アイリス３５、フーリエ変換レンズ３６、対物レンズ３８、ダミーガラス６１ａ、アパーチャー４４、ミラー４５ａを主要なる光学部品として備える。また、複製用原盤の製造装置は、機構部品として、複製用原盤６０Ａを光学部１００に対して相対的に移動させるために、スピンドルモータ４８および移動台座４９とを備える。スピンドルモータ４８は複製用原盤６０Ａを装着用部材４７ａおよび装着用部材４７ｂで圧着して、回転中心軸となるスピンドルモータ回転軸４８ａの回りで回転させ、移動台座４９はスピンドルモータ固定部４８ｂに固着されて、図示しない駆動機構からの移動力によって図４の紙面の左右方向（Ｙ軸方向）に複製用原盤６０Ａを移動させるようになされている。なお、図４においては、紙面の左方向をＹ軸の正方向、紙面の上方をＺ軸の正方向、紙面の表面側から裏面側へ向かう方向をＸ軸の正方向として、Ｘ軸、Ｙ軸およびＺ軸の各々は相互に直交するものとして以下の説明に用いる。
【００３８】
レーザ光源３０のシングルモードレーザは、例えば、リトロウ型またはリットマン型に代表される外部共振型レーザであって、シングルモードの光ビームを出射する。そして光ビームは、レーザ光源３０に具備された、いずれも図示しない以下の光学部品を順に通過する。光ビームは、アナモプリズムを通過してビームプロファイルを整形され、パワーモニタを通過することによって光ビーム強度を測定され、アイソレータを通過することによってシングルモードレーザへの戻り光が遮断され、シャッタを通過することによってシャッタがオンかオフかによって光ビームがそれ以降の光学部品を通過するか否かが制御され、空間フィルタを通過することによって収差を補正して良好な波長特性を有するものとなされる。
【００３９】
そして、このレーザ光源３０から出射された光ビームは、半波長板４０によって偏光面を回転させられ、偏光ビームスプリッタ３２ａによって原盤製造用参照光７６ａとコアクシャル光７５ａとに分離される。ここで、被変調コアクシャル光７５ｂと原盤製造用参照光７６ｂとの光量比が１：１になるように半波長板４０を回転調整して光量比を調整し、調整後に半波長板４０の位置は固定されるものである。原盤製造用参照光７６ａとして分離された光ビームは、複製用原盤６０Ａにおける原盤製造用参照光７６ｂのサイズを適切なものとし、さらに、光ビーム強度がガウス分布した原盤製造用参照光７６ａの中心部付近の均一なる強度の光ビームのみを使用するようにアパーチャー４４にてそのビーム径が調整される。そして、ミラー４５ａによって、複製用原盤６０Ａのから原盤製造用参照光７６ａが入射するようになされる。なお、上述の説明において、上方および上側の用語はＺ軸の正方向、下方および下側の用語はＺ軸の負方向を各々表すものである。
【００４０】
一方、空間光変調を受ける前の光ビームであるコアクシャル光７５ａは、偏光ビームスプリッタ３２ａを透過し、偏光ビームスプリッタ３２ａで反射した原盤製造用参照光７６ａとは位相がπ／２異なるものとなり、偏光ビームスプリッタ３２ｂを透過して空間光変調器３３ａに照射される。そして、空間光変調器３３ａに表示されるパターンに応じて変調を受けた被変調コアクシャル光７５ｂとしての光ビームを反射する。空間光変調器３３ａで反射することによって被変調コアクシャル光７５ｂは偏光面がπ／２変化したものとなり偏光ビームスプリッタ３２ｂで反射して以下の光路へ導かれる。このようにして、被変調コアクシャル光７５ｂと原盤製造用参照光７６ｂとの偏光の方向とのいずれもが、Ｓ偏光波として偏光方向が一致させられる。
【００４１】
ここで、空間光変調器３３ａは記録データに基づく信号光パターンを表示する信号光空間光変調部と参照光パターンを表示する参照光空間光変調部との２つの光ビームの反射領域を有しており、図２で示すと同様に、例えば、空間光変調器３３ａの外周部に中空のリング形状として参照光空間光変調部が、空間光変調器３３ａの内周部に円形の形状として信号光空間光変調部が、同軸状に形成されている。これらの反射領域で反射される光ビームは、同じ中心線を有して同軸状に配置される信号光および参照光からなる被変調コアクシャル光７５ｂとして、この中心線を被変調コアクシャル光７５ｂが通過する以下の各々の光学部品の光軸と一致させて、フーリエ変換レンズ３４、アイリス３５、フーリエ変換レンズ３６、対物レンズ３８、さらには、収差を補正するためのダミーガラス６１ａを通過する。すなわち、被変調コアクシャル光７５ｂに含まれる信号光および参照光が、上述の種々の光学部品によって形成される光路を共通として複製用原盤６０Ａに入射する。
【００４２】
そして、被変調コアクシャル光７５ｂと被変調コアクシャル光７５ｂと同一の光源であるレーザ光源３０から出射された原盤製造用参照光７６ｂとは、複製用原盤６０Ａのフォトポリマーで形成された記録層６０ａ（図５を参照）において干渉する。そして、この干渉の態様に応じてモノマーがポリマーに変化して記録層６０ａの微小領域における屈折率が変化をして、屈折率パターンに応じた回折格子（ホログラム）が形成される。ここで、フーリエ変換レンズ３４はフーリエ像形成面を作り出すために、アイリス３５はそのフーリエ像形成面で余分な光を遮蔽するために、フーリエ変換レンズ３６は再び実像形成面を作り出すために、対物レンズ３８は信号光および参照光を記録層６０ａの所定領域に集光するために、ダミーガラス６１ａは後述する複製ホログラム記録媒体および後述する角度選択板（図１２を参照）によって生じる収差を、複製用原盤の製造の時点で予め補正して、この複製用原盤を用いて製造される複製ホログラム記録媒体に正確にホログラムが複製できるようにするために、各々用いられる。この実施形態では、対物レンズ３８およびダミーガラス６１ａが集光手段の一実施形態として機能している。
【００４３】
また、図４では、原盤製造用参照光７６ｂを複製用原盤６０Ａの内周側（スピンドルモータ回転軸４８ａに近い側）から導き、複製用原盤６０Ａの外周側（スピンドルモータ回転軸４８ａに遠い側）に逃がす構造を採用しているが、原盤製造用参照光７６ｂを複製用原盤６０Ａの外周側から導き、複製用原盤６０Ａの内周側に逃がす構造を採用することもできる。
【００４４】
図５に示す部分拡大図に沿って被変調コアクシャル光７５ｂと原盤製造用参照光７６ｂとによってホログラムを複製用原盤６０Ａに形成する過程について、より詳細に説明する。図５においては、図４に示すと同一部分には同一の符号を付しており、同一の符号を付した部分についての説明は省略する。
【００４５】
被変調コアクシャル光７５ｂによってダミーガラス６１ａが発生する収差の大きは、ホログラムを複製する際の複製用参照光（例えば、図１２に示す複製用参照光８５）の複製ホログラム記録媒体（例えば、図１２に示す複製ホログラム記録媒体８０Ａ）と角度選択板（例えば、角度選択板９０）とによる収差の影響を予め補正するようにして、正確なホログラムが複製ホログラム記録媒体の記録層に形成できるように選択されている。ダミーガラス６１ａは、例えば、ガラス材の厚みと屈折率とを調整して上述したような適切な収差を有するものとされている。ここで、複製ホログラム記録媒体および角度選択板の発生する収差の大きさが小さい場合には、ダミーガラス６１ａを設けることなく良好な複製特性を有する複製用原盤６０Ｂを製造することが可能である。また、対物レンズ３８およびダミーガラス６１ａに替えて、同等の収差特性を有する対物レンズを用いるようにしても良いものである。この場合には、このような、収差を補正した対物レンズ（例えば、図９に示す対物レンズ３９）が集光手段の一実施形態として機能することとなり、このような集光手段を備える場合には図４におけるダミーガラス６１ａが不要となり、光学部の構成を極めて簡単なものとできる。
【００４６】
ここで、複製用原盤６０Ａは、フォトポリマー等で形成された記録層６０ａを有するとともに、ガラス、ポリカーボネイト等で形成された保持基板６０ｂと保持基板６０ｃとを有し、保持基板６０ｂおよび保持基板６０ｃによって、記録層６０ａはその両側を挟まれている。保持基板６０ｂと保持基板６０ｃは、記録層６０ａを保持可能とし、被変調コアクシャル光７５ｂおよび原盤製造用参照光７６ｂを透過する性質を有するものであれば、ガラス、ポリカーボネイトに限定されるものではない。
【００４７】
そして、原盤製造用参照光７６ｂと被変調コアクシャル光７５ｂとは記録層５０ａの中で干渉し、ホログラムが形成され、このホログラムが屈折率の変化として記録される。そしてホログラムを形成後に、原盤製造用参照光７６ｂおよび被変調コアクシャル光７５ｂは複製用原盤６０Ａの保持基板６０ｃの表面（図４、図５に示す下の面）より出て行く。
【００４８】
上述したようにして、ホログラムを記録する前の複製用原盤６０Ａの記録層６０ａには、ホログラムが形成されることとなる。ここで、複製用原盤６０Ａの記録層６０ａの所定領域にホログラムが形成された後、複製用原盤６０Ａはスピンドルモータ４８によって回転され、また、記録層６０ａの別の領域にホログラムが形成される。さらに、コンセントリック形状（同心円状）にホログラムが形成される場合には複製用原盤６０Ａの一回転に渡りホログラムが形成された後には、スピンドルモータ４８の全体を移動させる移動台座４９をＹ軸方向に移動させることによって隣のトラックの領域にホログラムを形成する。このようにして、記録層６０ａのすべての領域にホログラムを形成した複製用原盤６０Ｂを製造することができる。また、スパイラル形状（螺旋状）にホログラムが形成される場合には複製用原盤６０Ａを回転させながら、移動台座４９をＹ軸方向に移動させ、複製用原盤６０Ｂを製造することができる。すなわち、光学部１００の一部として他の光学部品とともに基準台に固着されたダミーガラス６１ａとスピンドルモータ回転軸４８ａおよび移動台座４９とともに移動する複製用原盤６０Ａとの相対位置を移動させながらホログラムが形成されるのである。
【００４９】
より具体的には、図示しない制御部が、スピンドルモータ４８の制御をおこない、移動台アクチュエータ（図示しない）によって移動台座４９を移動させる制御をおこない、対物レンズアクチュエータ（図示しない）によって対物レンズ３８をＺ軸方向へ移動させる制御をおこなう。ここで、スピンドルモータ４８と移動台座４９とは同期して制御され、上述したように、コンセントリック状、または、スパイラル状にホログラムを順次形成する。一方、対物レンズ３８は、フィードバックループの作用によって、被変調コアクシャル光７５ｂが記録層６０ａの所定位置に集光するように制御される。
【００５０】
例えば、対物レンズ３８を制御するフィードバックループは以下のようにして作用する。記録層６０ａと保持基板６０ｃとの界面からの微小量反射する戻り光を検出し、この戻り光を、集光レンズ（図示せず）とかまぼこレンズ（図示せず）によって集光し、４分割フォトディテクタ（図示せず）の対角方向に発生する信号の減算からフォーカス信号を得るアスティグマ法を採用して、上述のフィードバックループは構成されている。このような制御技術は、背景技術に示したＣＤ−ＲＯＭ、ＤＶＤ−ＲＯＭのマスター盤を製造するに際しては、通常に用いられる技術である。この実施形態では、スピンドルモータ４８、移動台座４９、移動台アクチュエータおよび制御部がホログラム形成位置移動手段の一実施形態として機能している。
【００５１】
なお、本実施形態においては、複製用原盤６０Ａの記録層６０ａに記録するホログラムが重なり合う場合においては、このようにして製造された複製用原盤６０Ｂから製造された複製ホログラム記録媒体の再生するときにクロストークが発生して、再生信号のＳ／Ｎ（信号対雑音比）が劣化する場合がある。このような場合には、ミラー４５ａの角度を変化させて原盤製造用参照光７６ｂが記録層６０ａに入射する角度を予め異ならせて、複製ホログラム記録媒体からの再生信号のＳ／Ｎを良好なものとすることができる。
【００５２】
図６は、複製用原盤の別の実施形態の製造装置の主要部である光学部１１０を示すものである。光学部１１０と光学部１００との差異は、ダミーガラス６１ａに替えてダミーガラス６１ｂを用いる点にある。光学部１００におけると同一の構成を有して、同一の作用を奏する構成部分には同一の符号を付して説明を省略する。
【００５３】
ここで、ダミーガラス６１ｂは、複製用原盤６０Ａに対して、装着用部材４７ａと装着用部材４７ｂとによって固着されており、ダミーガラス６１ｂは、複製用原盤６０Ａとともに、原盤製造用参照光７６ｂと被変調コアクシャル光７５ｂに対して移動する点に特徴がある。ダミーガラス６１ｂは、円盤形状とされて複製用原盤６０Ａに近接して配置されている。
【００５４】
このような構成を採用する場合には、光学部１００に較べてダミーガラス６１ｂの大きさが大きくなるものの、ダミーガラス６１ｂを被変調コアクシャル光７５ｂともに移動させる必要がないので、光学部の構成としてはより簡便なものとなる。
【００５５】
また、図６では、原盤製造用参照光７６ｂを内周側（スピンドルモータ回転軸４８ａに近い側）から導き、外周側（スピンドルモータ回転軸４８ａに遠い側）に逃がす構造を採用しているが、ミラー４５ａが配置される位置を図６に示すものとは変えて、原盤製造用参照光７６ｂをプリズムの外周側から導き、プリズムの内周側に逃がす構造を採用することもできる。
【００５６】
図７、図８を参照して、図４、図６に示す光学部を有する製造装置によって、複製用原盤６０Ｂに形成されたホログラムの形態について説明する。
【００５７】
図７は、複製用原盤６０Ｂの表面（図４、図６では、Ｘ軸とＹ軸とを含む面であるＸＹ面と平行な面に対応）の側から見たホログラム形成領域（図７では斜線を付した小さな丸）と原盤製造用参照光７６ｂ（図７では矢印で示す）との関係を示すものである。
【００５８】
図８の（Ａ）ないし（Ｄ）に示すのは、複製用原盤６０Ａの回転角度が異なる位置に記録されたホログラムと原盤製造用参照光７６ｂとの関係を示すものである。図４に示す光学部１００、図６に示す光学部１１０を有する製造装置においては、ページを単位とした複数個のホログラム形成領域を形成するに際しては、スピンドルモータ４８によって複製用原盤６０Ａを回転させるので、この回転に応じて、等価的に原盤製造用参照光７６ｂが回転したこととなる。すなわち、図８の（Ａ）は、ホログラムＨａを形成した直後の原盤製造用参照光７６ｂの入射方向を矢印で示すものである。また、図８の（Ｂ）は、複製用原盤６０Ａを矢印で示す回転方向に９０°回転後におけるホログラムＨａを形成した原盤製造用参照光７６ｂの等価的な入射方向を矢印で示し、さらに、ホログラムＨｂを形成した直後の原盤製造用参照光７６ｂの入射方向を矢印で示すものである。図８の（Ｃ）は、複製用原盤６０Ａを矢印で示す回転方向に１８０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、さらに、ホログラムＨｃを形成した直後の原盤製造用参照光７６ｂの入射方向を矢印で示すものである。図８の（Ｄ）は、複製用原盤６０Ａを矢印で示す回転方向に２７０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、ホログラムＨｃを形成した直後の原盤製造用参照光７６ｂの等価的な入射方向を矢印で示し、さらに、ホログラムＨｄを形成した直後の原盤製造用参照光７６ｂの入射方向を矢印で示すものである。
【００５９】
図８には図示しないが、複製用原盤６０Ａを矢印で示す回転方向に３６０°回転後におけるホログラムに対す原盤製造用参照光７６ｂの入射方向は、ホログラムＨａと同一となる。すなわち、回転中心から放射状に延びる直線上に形成されるホログラムでは、すべての原盤製造用参照光７６ｂの等価的な入射方向は同一である。このように、複製用原盤６０Ａの回転軸から延びる放射線に対応して原盤製造用参照光７６ｂの等価的な入射方向が配置されるようにして、すべてのホログラムが形成された複製用原盤６０Ｂを第１実施形態の複製用原盤と称するものである。原盤製造用参照光７６ｂの等価的な入射方向は、複製ホログラム記録媒体の製造をする場合において重要な概念であるが、これについては、後述する。
【００６０】
（第２実施形態の複製用原盤およびその製造技術について）
図９は、第２実施形態の複製用原盤を製造する製造装置の主要部である光学部１２０を示すものである。光学部１２０を用いる場合には、上述した第１実施形態の複製用原盤とは異なる態様の複製用原盤の製造が可能となる。以下、図９および図１０に沿って、第２実施形態の複製用原盤である複製用原盤６０Ｃおよびその製造技術について説明する。光学部１００および光学部１１０におけると同一の構成を有して、同一の作用を奏する構成部分には同一の符号を付して説明を省略する。
【００６１】
図９に示す光学部１２０が、光学部１００および光学部１１０とは異なる点は、回転角度検出器５１ｃを有する光学部回転モータ５１が光学部１２０を構成する機構部品として追加されている点、スピンドルモータ４８が回転角度検出器４８ｃを有する点、対物レンズ３８とダミーガラス６１ａとの組み合わせに替えて収差を補正した対物レンズ３９が用いられる点である。ここで、光学部回転モータ５１の光学部回転モータ固定部５１ｂは基準台に固着されている。また、被変調コアクシャル光７５ｂが通過する光学部材の光軸を中心として光学部の全体が回転させられるように、光学部材は光学部回転モータ回転軸５１ａに固着されている。すなわち、レーザ光源３０、半波長板４０、偏光ビームスプリッタ３２ａ、偏光ビームスプリッタ３２ｂ、空間光変調器３３ａ、フーリエ変換レンズ３４、アイリス３５、フーリエ変換レンズ３６、対物レンズ３９、アパーチャー４４およびミラー４５ａが一体として被変調コアクシャル光７５ｂの中心線である光学部材の光軸を回転中心として光学部回転モータ５１によって回転させられようになされている（図９においては符号Ｒ１で回転方向を示す）。
【００６２】
図１０を参照して、図９に示す光学部１２０を有する製造装置によって、製造された複製用原盤である複製用原盤６０Ｃに形成されるホログラムの形態について説明する。
【００６３】
図１０は、複製用原盤６０Ａの表面（図９では、ＸＹ面と平行な面に対応）の側から見たホログラム形成領域と原盤製造用参照光７６ｂとの関係を示すものである。図９に示す光学部を有する製造装置においては、ページを単位として複数個のホログラム形成領域を形成するに際しては、スピンドルモータ４８によって複製用原盤６０Ａを回転（図９では回転方向を符号Ｒ２で示す）させるとともに、光学部回転モータ５１の光学部回転モータ回転軸５１ａを回転（図９では回転方向を符号Ｒ１で示す）させて、光学部１２０の全体を回転させる。すなわち、スピンドルモータ４８によって複製用原盤６０Ａが１回転するのに同期して、光学部回転モータ５１によって光学部１２０の全体が１回転させられる。
【００６４】
複製用原盤６０Ａと光学部１２０との同期した回転によって、図１０の（Ａ）ないし図１０の（Ｄ）に示すように原盤製造用参照光７６ｂの入射方向が変化してホログラムが形成されることとなり、この回転に応じて、等価的に原盤製造用参照光７６ｂが一方向から複製用原盤６０Ａに入射したこととなる。すなわち、図１０の（Ａ）は、ホログラムＨａを形成した直後の原盤製造用参照光７６ｂの入射方向を矢印で示すものである。また、図１０の（Ｂ）は、複製用原盤６０Ａを矢印で示す回転方向に９０°回転後におけるホログラムＨａを形成した原盤製造用参照光７６ｂの等価的な入射方向を矢印で示し、さらに、ホログラムＨｂを形成した直後の原盤製造用参照光７６ｂの入射方向を矢印で示すものである。図１０の（Ｃ）は、複製用原盤６０Ｃを矢印で示す回転方向に１８０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、さらに、ホログラムＨｃを形成した直後の原盤製造用参照光７６ｂの入射方向を矢印で示すものである。図１０の（Ｄ）は、複製用原盤６０Ｃを矢印で示す回転方向に２７０°回転後におけるホログラムＨａを形成した原盤製造用参照光７６ｂの等価的な入射方向を矢印で示し、ホログラムＨｂを形成した原盤製造用参照光７６ｂの等価的な入射方向を矢印で示し、ホログラムＨｃを形成した直後の原盤製造用参照光７６ｂの等価的な入射方向を矢印で示し、さらに、ホログラムＨｄを形成した直後の原盤製造用参照光７６ｂの入射方向を矢印で示すものである。
【００６５】
図１０には図示しないが、複製用原盤６０Ａを矢印で示す回転方向に３６０°回転後におけるホログラムに対す原盤製造用参照光７６ｂの入射方向は、ホログラムＨａと同一となる。すなわち、すべての原盤製造用参照光７６ｂの等価的な入射方向は同一である。このように、原盤製造用参照光７６ｂの等価的な入射方向が同一方向に配置される複製用原盤６０Ｃを第２実施形態の複製用原盤と称して以下、用いるものとする。
【００６６】
図９に示す、制御部５２は、スピンドルモータ４８によって複製用原盤６０Ａが１回転するのに同期して、光学部回転モータ５１の光学部回転モータ回転軸５１ａを回転させ、よって光学部１２０の全体を１回転させる制御をおこなう部分であり、制御部５２は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、Ｄ／Ａ変換器、Ａ／Ｄ変換器、電力増幅器（いずれも図示しない）を有するものである。
【００６７】
制御部５２における制御は以下のようになされる。スピンドルモータ４８の回転角度検出器４８ｃから検出される角度と、光学部回転モータ５１の回転角度検出器４８ｃから検出される角度とが等しくなるか、または、一定の角度差を有するように、光学部回転モータ５１の光学部回転モータ回転軸５１ａを回転させる。これによって、複製用原盤６０Ａの回転と光学部１２０の全体の回転との同期が維持される。このような同期の操作をおこないながら、複製用原盤６０Ａの記録層６０ａの所定領域にホログラムが形成された後、複製用原盤６０Ａはスピンドルモータ４８によって回転され、また、記録層の別の所定領域にホログラムが形成される。そして、コンセントリック状にトラックを形成する場合には、複製用原盤６０Ａの一回転に渡りホログラムが形成された後に、スピンドルモータ４８の全体を移動させる移動台座４９をＹ軸方向に移動させる、スパイラル状にトラックを形成する場合には、スピンドルモータ回転軸４８ａの回転とともに移動台座４９をＹ軸方向に移動させる。これによって、複製用原盤６０Ａの記録することが予定されているすべての領域にホログラムを記録して第２実施形態の複製用原盤である複製用原盤６０Ｃを製造することができる。
【００６８】
ここで、光学部１２０の全体を回転させるので、被変調コアクシャル光７５ｂも回転しており、複製用原盤６０Ａの回転に応じてホログラムの形状も回転することとなる。そして、このような回転によって複製ホログラム記録媒体に形成されるホログラムの形状も回転することとなる。一方、図１に示すような光学部１０を用いる一般的なホログラム記録再生装置によって記録されるホログラムの形状はこのように回転するものではない。したがって、光学部１２０によって複製用原盤６０Ｃを製造し、これによって、製造した複製ホログラム記録媒体と図１に示す光学部１０を用いて記録されたホログラム記録媒体との間で、いわゆる、再生互換性の問題が生じることとなる。
【００６９】
このような、再生互換性の問題を解決し、ホログラム記録媒体に形成されるホログラムが回転するという影響を排除するには、図１に示す光学部１０を有するホログラム記録再生装置によって複製ホログラム記録媒体から記録データに応じた信号を再生するに際して、２次元に格子状に細分化された微細なフォトディテクタの集合からなるイメージセンサ２９に発生する再生光による再生像を図１には図示しない再生回路によって処理して回転を戻したのと等価な電気信号を得て、回転が生じない場合にイメージセンサ２９に発生すべき像に対応する信号を再現し、しかる後に再生の処理をおこなうようにしても良い。
【００７０】
（第３実施形態の複製用原盤およびその製造技術について）
上述したようにして、イメージセンサ２９に発生する再生光による再生像を再生回路において回転する処理をおこない再生互換を確保する場合には、ホログラム記録再生装置における処理負担が大きい。複製ホログラム記録媒体と図１に示す光学部１０を有する記録再生装置によって記録されたホログラム記録媒体の再生互換性を確保するために、記録時における記録フォーマットを同一とするのが最も望ましいものである。このように、光学部１０を有する記録再生装置によって記録されたホログラム記録媒体と全く同じ記録フォーマットを有しながら、原盤製造用参照光７６ｂの等価的な入射方向が同一方向に配置される複製用原盤を第３実施形態の複製用原盤６０Ｄと称して以下では用い、このような複製用原盤６０Ｄを製造する技術について説明する。
【００７１】
複製用原盤６０Ｄは、図９に示す光学部１２０を用いて製造することができるが、制御部５２は以下のように空間光変調器３３ａを制御する。
【００７２】
制御部５２は、スピンドルモータ４８の回転角度検出器４８ｃから検出される角度に応じて、空間光変調器３３ａに表示される記録データに基づく信号光パターンを表示する信号光空間光変調部と参照光パターンを表示する参照光空間光変調部との両方のパターンを光軸の回りで回転させる。すなわち、スピンドルモータ４８が１回転する時間で、信号光空間光変調部に表示される信号光パターンと参照光空間光変調部に表示される参照光パターンとの各々は、光軸を中心として１回転するようにするものである。この処理は、制御部５２において、ＣＰＵが処理するデジタル演算処理によっておこなわれる。このようにして、複製ホログラム記録媒体の再生互換性の問題は解決される。
【００７３】
図１１は、複製用原盤６０Ｄを製造するためのさらに別の製造装置の要部である光学部１３０を示すものである。図１１において、光学部１００、光学部１１０および光学部１２０におけると同一の構成を有して、同一の作用を奏する構成部分には同一の符号を付し、この部分についての説明は省略する。図１１に示す光学部１３０と、図９に示す光学部１２０との差異は以下の点である。光学部１２０は、スピンドルモータ４８のスピンドルモータ回転軸４８ａの回転に同期して、その全体が回転する。一方、光学部１３０においては、被変調コアクシャル光７５ｂを発生して複製用原盤６０Ａに対して照射するための光学部品は、基準台に固定されている。そして、原盤製造用参照光７６ｂを発生して複製用原盤６０Ａに対して照射するための光学部品（図１１の太い破線で囲んだ部分の範囲内の光学部品）は、スピンドルモータ４８のスピンドルモータ回転軸４８ａの回転に同期して回転するようになされている。以下、図１１に沿って、光学部１３０の説明をする。
【００７４】
光学部１３０において、基準台に固定される光学部品（以下、固定部光学部品と称する）は、レーザ光源３０、半波長板４０、液晶等で形成された透過型の空間光変調器３３ｂ、偏光ビームスプリッタ３２ｂ、イメージセンサ１２９、フーリエ変換レンズ３４、アイリス３５、フーリエ変換レンズ３６および対物レンズ３８である。また、基準台に固定される機構部品は、光学部品の可動部分を回転させる可動光学部回転モータ７１の固定部７１ｂと、スピンドルモータ４８のスピンドルモータ固定部４８ｂである。これらの固定部光学部品の各々は相互に一体に固着されている。ここで、偏光ビームスプリッタ３２ｂとイメージセンサ１２９とを備えた理由はイメージセンサ１２９の出力によって光学部１３０を調整するためである。
【００７５】
光学部１３０において、被変調コアクシャル光７５ｂの光軸を中心として回転をする光学部品（以下、可動部光学部品と称する）は、偏光ビームスプリッタ３２ａ、ミラー４５ｂ、アパーチャー４４、ミラー４５ｃである。これらの可動部光学部品の各々は相互に一体に固着され、図示しないベアリングを有する回転保持機構を用いて固定部光学部品の光軸、すなわち、被変調コアクシャル光７５ｂの光軸を中心にして滑らかに回転できるようになされている。そして、この可動部光学部品を回転する回転機構として、円盤形状のプーリ７３およびプーリ７４と、可動光学部回転モータ７１とが用いられる。プーリ７３の回転中心に可動光学部回転モータ７１の回転軸７１ａが固着され、プーリ７４の回転中心と固定部光学部品の光軸とが一致するようにプーリ７４と可動部光学部品とは固着されている。ここで、固定部光学部品が配置される固定側に可動部光学部品の回転角度を検出する可動部回転検出器７７が配されている。可動部回転検出器７７は、光ビームを出射してプーリ７４の表面に貼られた回転角度を表示する放射状のバーコードからの反射光を検出してプーリ７４の回転角度、すなわち、可動部光学部品の回転角度を検出するようになされている。
【００７６】
図１１に示す光学部１３０を採用する場合には、図９に示す光学部１２０を採用する場合に較べて、可動部光学部品の数を少なくすることができるとともに、固定部光学部品が形成する光路によって導かれる被変調コアクシャル光７５ｂは回転することがないので、複製用原盤６０Ｄを得るために図９に示す光学部１２０におけるようにスピンドルモータ４８の回転に応じて、信号光パターンおよび参照光パターンを回転させる処理は不要となる。また、図１１に示す対物レンズ３８に替えて、上述した収差を補正した対物レンズ３９を用いる場合には、ダミーガラス６１ｂは不要とできる。
【００７７】
光学部１３０においては、図示しない制御部が以下のように作用して、スピンドルモータ４８と可動光学部回転モータ７１との回転の同期を得ている。制御部は、スピンドルモータ４８を駆動する。スピンドルモータ回転軸４８ａとともに複製用原盤６０Ａおよびダミーガラス６１ｂが回転するように装着用部材４７ａと装着用部材４７ｂとで両者を圧接している。そして、スピンドルモータ４８の回転角度検出器４８ｃからの信号を取り込む。そして、制御部は、この回転角度検出器４８ｃから検出する角度と可動部回転検出器７７から検出する角度とを比較して、この角度が一致するか、両者の角度差が一定の値となるように、可動光学部回転モータ７１を制御する。このような制御の処理は逐次おこなわれるので、固定部光学部品と可動部光学部品との間の角度とスピンドルモータ回転軸４８ａの回転角度とを同期させることができる。かくして、図１０に示すような、原盤製造用参照光７６ｂの等価的な入射方向が同一方向に配置され、かつ、被変調コアクシャル光７５ｂは等価的に放射状に配置されて形成されるホログラムの記録態様を有するホログラムの複製用原盤６０Ｄを製造することができる。
【００７８】
（後処理について）
予定された範囲の記録層に上述するようにしてホログラムが記録された、第１実施形態のホログラムの複製用原盤６０Ｂ、第２実施形態のホログラムの複製用原盤６０Ｃおよび第３実施形態のホログラムの複製用原盤６０Ｄの各々は、複製用原盤として用いられるが、これらの複製用原盤の記録層６０ａにホログラムの未記録領域がある場合には、後述する複製ホログラム記録媒体の製造の過程において照射される光ビームの作用によって、さらに、このホログラムの複製用原盤６０Ｂ、ホログラムの複製用原盤６０Ｃおよびホログラムの複製用原盤６０Ｄにホログラムが形成される場合がある。このような事態が生じることは、製造開始の初期段階の複製ホログラム記録媒体と製造開始から時間が経過した段階の複製ホログラム記録媒体とに記録される内容が異なることになってしまい、複製用原盤としては好ましいことではない。
【００７９】
このような観点から、予定された範囲の記録層６０ａにホログラムが記録されたホログラムの複製用原盤６０Ｂないしホログラムの複製用原盤６０Ｄに干渉性の悪い光を照射させて後処理を行うことが望ましい。これはホログラムの複製用原盤６０Ｂないしホログラムの複製用原盤６０Ｄに残存したモノマーをポリマーに全て変えてしまう処理である。照射する光はメディアが感光する波長を有する光であり、干渉性の悪い光であれば良いものである。例えば、ホログラムの複製用原盤６０Ｂないしホログラムの複製用原盤６０Ｄに例えば散乱光を一括照射すれば良いものである。
【００８０】
（複製用原盤を用いて複製ホログラム記録媒体を製造する技術の原理について）
図１２は、以下に説明する複製用原盤を用いて複製ホログラム記録媒体を製造する技術の原理を説明する図である。ここで、複製用参照光８５は、円形状の光ビーム（スポット形状光ビーム）、一方向に幅が長い光ビーム（１次元帯状の光ビーム）、大きな面積（例えば、複製用原盤６０Ｃまたは複製用原盤６０Ｄの全体を覆う面積）に拡大された幅広の光ビーム（２次元拡大光ビーム）等の種々の形態の光ビームであり、図１２の左方向より入射して、図１２の右方向へと抜ける光ビームである。ここで、複製用参照光８５の波長は、原盤製造用参照光７６ｂの波長と略等しい波長を有するものとされている。そして、複製用参照光８５が複製用原盤６０Ｂの記録層６０ａに形成されたホログラムに照射されて回折光９５が発生する。
【００８１】
複製ホログラム記録媒体を製造する過程のより詳細な説明を以下に述べる。ここで、複製用原盤としては、上述した複製用原盤６０Ｂないし複製用原盤６０Ｄのいずれかを用いて複製ホログラム記録媒体を製造することとなるが、複製用原盤のいずれにも共通する原理を説明する場合には、複製用原盤６０Ｂないし複製用原盤６０Ｄの用語を用い、そのいずれかについての説明である場合にはその旨を明示する。
【００８２】
このような原理を用いる場合には、背景技術で用いたような大口径の対物レンズによる結像光学系を有する必要がないので、製造設備を簡単にできるとともに、結像特性が問題となることもないので、複製用原盤６０Ｂの記録層６０ａの厚み、および、複製ホログラム記録媒体８０Ａの記録層８０ａの厚み自由に選択が可能とでき、記録層６０ａの厚みを厚くする場合には複製ホログラム記録媒体を製造する際の回折効率を向上させることができ、記録層８０ａの厚みを厚くする場合には複製ホログラム記録媒体からの信号を再生する場合の回折効率を向上させることができ、いずれも、最終的には複製ホログラム記録媒体からの再生信号の品質を向上させることができる。
【００８３】
複製ホログラム記録媒体８０Ａについて説明する。複製ホログラム記録媒体８０Ａは、記録層８０ａ、保持基板８０ｂ、保持基板８０ｃ、反射層８０ｄ、保護層８０ｅを有する部材である。複製ホログラム記録媒体８０Ａはホログラムが未記録、または、複製の過程が終了する前の複製ホログラム記録媒体を指し示すものである。複製の過程が終了した複製ホログラム記録媒体には、例えば、複製ホログラム記録媒体８０Ｂ等の符号を付して、その都度、複製の過程が終了した複製ホログラム記録媒体であることを明示して以下の説明に用いる。  
【００８４】
複製ホログラム記録媒体８０Ｂは、図１に示す光学部１０を有する記録再生装置によって再生互換が可能とされ、複製ホログラム記録媒体８０Ｂが追記可能な媒体である場合には記録再生互換が可能とされるものである。このために、例えば、記録層８０ａはフォトポリマー、保持基板８０ｂおよび保持基板８０ｃはガラスまたはポリカーボネイト、反射層８０ｄはアルミニューム、保護層８０ｅは樹脂、によって、各々の部分が形成されている。
【００８５】
角度選択板９０について説明する。角度選択板９０は、角度選択膜９０ａと保持基板９０ｂを有する部材であって、この技術の主要部となる部材である。角度選択膜９０ａは、透過率が角度選択性を有する膜であり、その特性の一例を図１３に示す。図１３の縦軸は透過率を表し、図１３の横軸は光ビームの入射角度を示すものである。図１３には２本の曲線が付されているが、Ｐ偏光の光ビーム（以下、Ｐ偏光波と称する）とＳ偏光の光ビーム（以下、Ｓ偏光波と称する）の各々について示すものである。図１３に示すような角度選択膜９０ａを形成する手法は、光学部品の製造業の分野では広く知られた公知技術である。また、保持基板９０ｂは回折光９５を透過する材料であれば、大きな制限はなく、例えば、ガラス、ポリカーボネイトが用いられる。
【００８６】
図１２に示すように、複製用参照光８５の角度選択膜９０ａに対する入射角度は原盤製造用参照光７６ｂの入射角度と略等しいものとされるので、入射角度の大きさは小さく、図１３に示す複製用参照光角度領域ＡｒＣの範囲である。一方、複製用参照光角度領域ＡｒＣの範囲内の入射角度で入射した複製用参照光８５によって発生される回折光９５の角度選択膜９０ａに対する入射角度は、図１２に示すように大きく（例えば、図１に示す光学部１０を例にすれば、対物レンズ２８の開口の範囲である）、図１３に示す回折光角度領域ＡｒＤの範囲内となるものである。
【００８７】
このような角度選択膜９０ａの作用によって、原盤製造用参照光７６ｂは角度選択膜９０ａにて反射して複製ホログラム記録媒体８０Ａには届かず、複製用原盤６０Ｂないし複製用原盤６０Ｄからの回折光９５は角度選択膜９０ａを透過して複製ホログラム記録媒体８０Ａに照射される。角度選択膜９０ａで反射した原盤製造用参照光７６ｂは再び複製用原盤６０Ｂないし複製用原盤６０Ｄを通過するが、この場合には、ブラッグの再生条件を満たさないので回折光が発生することはない。なお、複製用原盤６０Ｂないし複製用原盤６０Ｄが角度多重または回転多重を行ってホログラムが記録されている場合には、複製用原盤６０Ｂないし複製用原盤６０Ｄを製造する際の原盤製造用参照光７６ｂの入射角度に応じて複製用参照光８５を異ならせることによって、多重化されて記録された複数のホログラムの各々に応じた回折光９５を発生させ、複製ホログラム記録媒体８０Ａにこれらの多重化された複数のホログラムを複製した複製ホログラム記録媒体８０Ｂを製造することができる。この場合に、原盤製造用参照光７６ｂの入射角度は複製用参照光角度領域ＡｒＣの範囲内でなければならない。
【００８８】
ここで、角度多重とは、複製用原盤６０Ａにホログラムを形成して複製用原盤６０Ｂないし複製用原盤６０Ｄを製造するに際して、原盤製造用参照光７６ｂの複製用原盤６０Ａに対する入射角度（図９では、Ｙ軸とＺ軸とを含む平面と平行な面における入射角度）を変化させて記録層６０ａの重複する領域に複数のホログラムを形成する技術であり、回転多重とは、複製用原盤６０Ａにホログラムを形成して複製用原盤６０Ｂないし複製用原盤６０Ｄを製造するに際して、原盤製造用参照光７６ｂの複製用原盤６０Ａに対する入射角度（図９では、Ｘ軸とＹ軸とを含む平面と平行な面における入射角度）を変化させて記録層６０ａの重複する領域に複数のホログラムを形成する技術であり、角度多重および回転多重の技術自体は公知の技術である。
【００８９】
また、複製用原盤６０Ｂないし複製用原盤６０Ｄから複製ホログラム記録媒体８０Ａに照射された光は記録層８０ａにおいて、回折光９５の作用によってホログラムを形成する。ここで、複製ホログラム記録媒体８０Ａには、反射層８０ｄが配されているので、複製用原盤６０Ｂないし複製用原盤６０Ｄからの回折光９５は反射層８０ｄで反射して再び、複製用原盤６０Ｂないし複製用原盤６０Ｄに戻ることとなる。回折光９５（第１の回折光）が、複製用原盤６０Ｂないし複製用原盤６０Ｄに照射されることによって回折光８７（第２の回折光）が生じることとなるが、この回折光８７の方向は、図１２に示すように複製ホログラム記録媒体８０Ａの側とは反対方向となるのでホログラムの複製において回折光８７が影響を及ぼすものではない。
【００９０】
上述した技術原理を応用し、複製ホログラム記録媒体の製造装置および複製ホログラム記録媒体の製造方法についての具体てきな実施形態を第１実施形態ないし第３実施形態として以下に説明する。第１実施形態の複製ホログラム記録媒体の製造技術および第２実施形態の複製ホログラム記録媒体の製造技術においては、複製用原盤６０Ｂを用いることができるものであり、第３実施形態の複製ホログラム記録媒体の製造技術においては、複製用原盤６０Ｃまたは複製用原盤６０Ｄのいずれかを用いることができるものである。
【００９１】
（複製用原盤６０Ｂから複製ホログラム記録媒体を製造する第１実施形態の製造技術について）
複製用原盤６０Ｂを用いた複製ホログラム記録媒体を製造する技術として、第１実施形態の製造装置およびこの製造装置を用いる第１実施形態の製造方法を示す。この製造装置および製造方法は、複製用原盤６０Ｂと複製ホログラム記録媒体８０Ａとで角度選択板９０を挟むような位置関係とし、複製用原盤６０Ｂに光スポットを照射して、この光スポットを２次元の方向に走査することによって複製をおこなうものである。図１４に沿って第１実施形態の複製ホログラム記録媒体製造装置１４０の説明をおこなう。上述したように、複製用原盤６０Ｂでは、図８に示すように、複製用原盤６０Ｂの中心（図１４に示すスピンドルモータ回転軸９８ａの回転中心と一致する）を基準として、放射状に原盤製造用参照光７６ｂが照射されてホログラムが形成されており、この方向は複製用原盤６０Ｂの半径方向の位置には依存せず内外周のいずれの位置であっても同様であるので、この点を考慮して、第１実施形態の複製ホログラム記録媒体製造装置１４０によって、複製用原盤６０Ｂの情報を複製した複製ホログラム記録媒体８０Ｂは製造される。
【００９２】
第１実施形態の複製ホログラム記録媒体製造装置１４０は、レーザ光源８８、スピンドルモータ９８および複製用原盤６０Ｂを主要構成部分とするものである。レーザ光源８８は複製用参照光８５ａを出射する。複製用参照光８５ａは、複製用原盤６０Ｂを製造するに際して使用したレーザ光源３０から出射される原盤製造用参照光７６ｂの波長と略等しい波長を有するものとされている。レーザ光源８８は移動台に載せられ、図１４の矢印で示す方向（Ｙ軸の正方向）に移動するように図示しないアクチュエータで駆動されるようになされている。スピンドルモータ９８はスピンドルモータ回転軸９８ａとともに回転する装着用部材９７ａおよび装着用部材９７ｂを有している。この装着用部材９７ａおよび装着用部材９７ｂによって複製ホログラム記録媒体８０Ａと角度選択板９０と複製用原盤６０Ｂとを積層して、スピンドルモータ９８の回転力で回転させることができるようになされている。この実施形態では、装着用部材９７ａおよび装着用部材９７ｂは位置決め手段の一実施形態として機能する。なお、レーザ光源８８を移動台に載せることによって、複製用原盤６０Ｂに照射される光スポットの位置を移動させたが、光スポットと複製用原盤６０Ｂとの相対位置を移動させるに際しては、移動台に積載した複製用原盤６０Ｂを移動させるものとしても良い。
【００９３】
図１５は、複製ホログラム記録媒体８０Ａの上側から見た透視図によって、光スポットとして形成された複製用参照光８５ａの移動を示すものである。ここで、複製用参照光８５ａは第１実施形態の複製用原盤６０Ｂを製造するに際して、図８に示すようにして用いられた原盤製造用参照光７６ｂと同一の入射角度で入射する。すなわち、複製用原盤６０Ｂの中心（図１４では、スピンドルモータ回転軸９８ａの回転中心）を基準として、放射状に、複製用参照光８５ａが移動して照射されて、ホログラムが順次形成されて複製ホログラム記録媒体８０Ｂが最終的に製造される。
【００９４】
ここで、複製用参照光８５ａに進行方向について説明をする。図４に示す光学部１００を用いて製造された複製用原盤６０Ｂに形成されたホログラムの態様は、図４の示すとことによれば、被変調コアクシャル光７５ｂは一旦集光され、その集光点の後ろに配置された複製用原盤６０Ａの記録層６０ａにホログラムが形成されることとなるので、製造の結果物である複製用原盤６０Ｂに形成されたホログラムは、集光点の位置に応じた特有な形状をしている。すなわち、図５に示すように、ホログラムの形状は保持基板６０ｃの側の形状が大きく、保持基板６０ｂ側の形状が小さなものとなっている。一方、図１２に図示する複製ホログラム記録媒体８０Ａと角度選択板９０と複製用原盤６０Ｂとの配置関係を考慮する場合には、複製用参照光８５ａの入射方向は図１２に示すように、図４における複製用参照光８５ａの入射方向とは、逆方向（位相共役）としなければならない。
【００９５】
より具体的には以下の手順で複製はおこなわれる。複製用原盤６０Ｂと複製ホログラム記録媒体８０Ａとをともに回転させるスピンドルモータ回転軸９８ａの回転は停止される。光ビームの進行方向に垂直な切断面における形状が略円形の形状とされた複製用参照光８５ａが、複製用原盤６０Ｂの内周から外周方向にレーザ光源８８の移動に応じて移動する。スピンドルモータ回転軸９８ａは、複製用原盤６０Ｂと複製ホログラム記録媒体８０Ａとを回転（回転の方向は、図４では符合Ｒ２を付して矢印で示す）させた後に再び停止するが、このときの回転角度は、複製用原盤６０Ｂの最外周における移動距離が複製用参照光８５ａの断面の半径の長さ以内のものとされる。再び、複製用参照光８５ａが、複製用原盤６０Ｂの内周から外周方向にレーザ光源８８の移動に応じて移動する。以上の手順を繰り返して、複製用原盤６０Ｂの複製が予定されている全領域のホログラムを複製した複製ホログラム記録媒体８０Ｂを最終的に得ることができる。
【００９６】
また、別の手順は、複製用原盤６０Ｂと複製ホログラム記録媒体８０Ａとをともに回転させるスピンドルモータ回転軸９８ａの回転を連続しておこない、一周（３６０°）複製用参照光８５ａを照射した後、スピンドルモータ回転軸９８ａの回転を停止する。複製用原盤６０Ｂの内周から外周方向に複製用参照光８５ａの断面の半径の長さ以内の距離だけレーザ光源８８を移動する。再び、複製用原盤６０Ｂと複製ホログラム記録媒体８０Ａとをともに回転させるスピンドルモータ回転軸９８ａの回転を連続しておこない、一周（３６０°）複製用参照光８５ａを照射する。以上の手順を繰り返して、複製用原盤６０Ｂの複製が予定されている全領域のホログラムを複製した複製ホログラム記録媒体８０Ｂを最終的に得ることができる。
【００９７】
さらに、別の手順は、複製用原盤６０Ｂと複製ホログラム記録媒体８０Ａとをともに回転させるスピンドルモータ回転軸９８ａの回転を連続しておこなうとともに、レーザ光源８８を内周から外周に移動する。このとき、複製用原盤６０Ｂの複製が予定されている全領域に複製用参照光８５ａを照射できるような移動速度で、スピンドルモータ回転軸９８ａおよびレーザ光源８８を移動させる。このようにして、複製用原盤６０Ｂの複製が予定されている全領域のホログラムを複製した複製ホログラム記録媒体８０Ｂを最終的に得ることができる。
【００９８】
上述したいずれの手順も、Ｙ軸方向への複製用参照光８５ａの移動（図１５で矢印に符号Ｙを付して移動方向を示す）は、レーザ光源８８の移動を用い、回転角度方向への複製用参照光８５ａの移動（図１５で矢印に符号Ｒ２を付して移動方向を示す）は、スピンドルモータ９８を用い、複製すべきすべての領域に複製用参照光８５ａを照射するものである。この実施形態では、レーザ光源８８は複製用参照光８５ａを発生させる機能を有し、スピンドルモータ９８、レーザ光源８８およびレーザ光源８８を移動させるアクチュエータは、複製用原盤６０Ｂの所定領域に複製用参照光８５ａを照射させる機能を有して、いずれもが、複製用参照光発生手段の一部として構成されている。
【００９９】
第１実施形態の複製ホログラム記録媒体製造装置１４０を用いれば、複製用参照光８５ａを照射することによって複製用原盤６０Ｂから回折光９５を発生させ、角度選択板９０の作用によって、複製用参照光８５ａは阻止ながら、回折光９５のみを複製ホログラム記録媒体８０Ａに照射することができる。この結果、背景技術において採用するような大口径の高価な対物レンズを用いることなく複製用原盤６０Ｂの回転の速度を速くして、複製ホログラム記録媒体８０Ｂを複製する速度を向上することができる。
【０１００】
（複製用原盤６０Ｂから複製ホログラム記録媒体を製造する第２実施形態の製造技術について）
複製用原盤６０Ｂを用いた複製ホログラム記録媒体を製造する技術として、第２実施形態の製造装置およびこの製造装置を用いる第２実施形態の製造方法を示す。この製造装置および製造方法は、複製用原盤６０Ｂに光の帯を照射して、この光の帯を１次元方向に走査することによって複製をおこなうものである。この場合の１次元方向への走査は複製用原盤６０Ｂを回転することによっておこなわれる。図１６に沿って第２実施形態の複製ホログラム記録媒体製造装置１５０の説明をおこなう。
【０１０１】
図１６に示す第２実施形態の複製ホログラム記録媒体製造装置１５０は、レーザ光源８８、アナモプリズム９２ａ、アナモプリズム９２ｂ、ミラー９１ｂ、スピンドルモータ９８および複製用原盤６０Ｂを主要構成部分とするものである。レーザ光源８８、アナモプリズム９２ａ、アナモプリズム９２ｂ、ミラー９１ｂおよびスピンドルモータ９８の固定部はいずれも基準台に固着されている。形状が帯状に整形された複製用参照光８５ｂは、レーザ光源８８からの光ビームをアナモプリズム９２ａおよびアナモプリズム９２ｂによって整形して得ることができる。ここで、アナモプリズム９２ａおよびアナモプリズム９２ｂの２個のアナモプリズムを使用したのは、帯状の複製用参照光８５ａの長手方向の長さを複製用原盤６０Ｂの半径の長さと略等しくして、複製用原盤６０Ｂの中心から延びる放射線の方向には複製用参照光８５ａを走査する必要がない様にするためである。したがって、複製用参照光８５ａの長手方向の長さがアナモプリズム９２ａのみによって十分な長さとできる場合には、アナモプリズム９２ｂは必要とされない。
【０１０２】
図１７は、複製ホログラム記録媒体８０Ａの上側から見た透視図によって、複製ホログラム記録媒体８０Ａと光の帯として形成された複製用参照光８５ｂとの関係を示すものである。ここで、複製用参照光８５ｂは複製用原盤６０Ｂを製造するに際して、図８に示すようにして用いられた原盤製造用参照光７６ｂと同一の入射方向から照射される。すなわち、複製用原盤６０Ｂの中心（図１４では、スピンドルモータ回転軸９８ａの回転中心）を基準として、放射状に、複製用参照光８５ｂが照射されて、複製用原盤６０Ｂおよび複製ホログラム記録媒体８０Ａの回転にともなってホログラムが順次形成されて記録済みの複製ホログラム記録媒体８０Ｂが最終的に製造される。すなわち、スピンドルモータ回転軸９８ａの回転にともなって複製ホログラム記録媒体８０Ａを回転角度方向に移動（図１７で矢印に符号Ｒ２を付して示す）させて、複製用参照光８５ｂを１次元に走査している。
【０１０３】
このようにして、複製用原盤６０Ｂの複製が予定されている全領域のホログラムを複製した複製ホログラム記録媒体８０Ｂを最終的に得ることができる。この実施形態では、レーザ光源８８は複製用参照光８５ａを発生させる機能を有し、スピンドルモータ９８、アナモプリズム９２ａ、アナモプリズム９２ｂおよびミラー９１ｂは、複製用原盤６０Ｂの所定領域に複製用参照光８５ａを照射させる機能を有して、いずれもが、複製用参照光発生手段の一部として構成されている。
【０１０４】
このような複製ホログラム記録媒体製造装置１５０を用いることによって、スピンドルモータ回転軸９８ａを一回転させることによって簡便で、かつ、高速に複製ホログラム記録媒体８０Ｂを得ることができる。
【０１０５】
（複製用原盤６０Ｃおよび複製用原盤６０Ｄから複製ホログラム記録媒体を製造する第３実施形態の製造技術について）
複製用原盤６０Ｃおよび複製用原盤６０Ｄを用いた複製ホログラム記録媒体を製造する技術として、第３実施形態の複製ホログラム記録媒体製造装置１６０およびこの製造装置を用いる第３実施形態の製造方法を示す。この製造装置および製造方法は、複製用原盤６０Ｃまたは複製用原盤６０Ｄの全体を覆う範囲の光ビームを一度に照射して、光ビームを走査することなく、ホログラムが記録されたホログラム記録媒体を得ることができるものである。
【０１０６】
図１８に第３実施形態の複製ホログラム記録媒体製造装置１６０を示す。第３実施形態の複製ホログラム記録媒体製造装置１６０は、レーザ光源８８、アナモプリズム９２ａ、アナモプリズム９２ｂ、アナモプリズム９２ｃ、アナモプリズム９２ｄ、ミラー９１ｃおよび複製用原盤６０Ｃまたは複製用原盤６０Ｄを主要構成部分とするものである。上述した構成部分は、いずれも、基準台に固着されている。レーザ光源８８からの光ビームは、アナモプリズム９２ａおよびアナモプリズム９２ｂによって、図１８に示すＹ軸とＺ軸を含む面で光ビームの幅が拡大される。また、アナモプリズム９２ｃおよびアナモプリズム９２ｄによって、図１８に示すＸ軸とＹ軸を含む面で光ビームの幅が拡大され、その結果、Ｘ軸、Ｚ軸の断面における形状が四角形となる複製用参照光が複製用参照光８５ｃとして得られる。ここで、アナモプリズム９２ａないしアナモプリズム９２ｄの４個のアナモプリズムを使用したのは、複製用参照光８５ｃが複製用原盤６０Ｃまたは複製用原盤６０Ｄの全面を照射できるようにするためである。したがって、複製用参照光８５ｃが照射される複製用原盤６０Ｃまたは複製用原盤６０Ｄの面積の大きさが小さい場合にはアナモプリズム９２ａとアナモプリズム９２ｃとによって、複製用参照光８５ｃの十分な照射面積を確保することができる。
【０１０７】
図１９は、複製ホログラム記録媒体８０Ａの上側から見た透視図によって、複製ホログラム記録媒体８０Ａと２次元に拡げられた複製用参照光８５ｃとの関係を示すものである。ここで、複製用参照光８５ｃは複製用原盤６０Ｃまたは複製用原盤６０Ｄを製造するに際して、図１０の（Ｄ）に示すようにして、矢印で示される原盤製造用参照光と同一の入射方向から照射される。すなわち、複製用参照光８５ｃが照射されることによって、複製用原盤６０Ｃを用いた場合に複製ホログラム記録媒体８０Ｃが製造され、複製用原盤６０Ｄを用いた場合に複製ホログラム記録媒体８０Ｄが製造される。この実施形態では、レーザ光源８８は複製用参照光８５ａを発生させる機能を有し、ミラー９１ｃ、アナモプリズム９２ａ、アナモプリズム９２ｂ、アナモプリズム９２ｃ、アナモプリズム９２ｄの各々は、複製用原盤６０Ｂの所定領域に複製用参照光８５ａを照射させる機能を有して、いずれもが、複製用参照光発生手段の一部として構成されている。
【０１０８】
また、このような複製ホログラム記録媒体製造装置１６０では、図示しない移送装置を用いて複数の複製ホログラム記録媒体８０Ａを連続して移動させ、図１８で示すように、順次、複製用原盤６０Ｃまたは複製用原盤６０Ｄが下面に配置された角度選択板９０の上側で移動を停止し、複製用参照光８５ｃを照射することによって、ホログラムが形成された複製ホログラム記録媒体８０Ｃまたは複製ホログラム記録媒体８０Ｄを連続的に得ることができる。このようなバッチ処理において、複製用原盤６０Ｃまたは複製用原盤６０Ｄの上側で移動を停止する機構は図示してはいないが、種々の製造物の製造工程では通常に使用されるものである。例えば、リフトで複製ホログラム記録媒体８０Ａ持ち上げ、移動させ、図示しない光センサで複製ホログラム記録媒体８０Ａが複製用原盤６０Ｃまたは複製用原盤６０Ｄの上に位置したことを検出した段階でリフトを下げて、複製ホログラム記録媒体８０Ａと複製用原盤６０Ｃまたは複製用原盤６０Ｄとの相対位置を所定の位置とするものであり、位置決め手段の一実施形態として機能するものである。
【０１０９】
第１実施形態ないし第３実施形態の製造装置、第１実施形態ないし第３実施形態の製造方法によって製造された複製ホログラム記録媒体８０Ｂないし複製ホログラム記録媒体８０Ｄの各々は、複製ホログラム記録媒体として多量に複製して、頒布することができる。この場合に、複製ホログラム記録媒体の特定の領域をホログラムの未記録領域として残しておけば、このような複製ホログラム記録媒体を入手した者は、必要な記録データを、この未記録領域に書き込む（追記をする）ことが可能となる。
【０１１０】
また、第１実施形態ないし第３実施形態の製造装置、第１実施形態ないし第３実施形態の製造方法によって製造された複製ホログラム記録媒体８０Ｂないし複製ホログラム記録媒体８０Ｄに追記をしない場合には、ホログラム記録媒体に干渉性の悪い光を照射させて後処理を行うことが望ましい。これは複製ホログラム記録媒体に残存したモノマーをポリマーに全て変えてしまう処理である。照射する光はメディアが感光する波長を有し、干渉性の悪い光であれば良く、例えば、ＬＥＤで発光される光ビームを一括照射させれば良いものである。これによって、複製ホログラム記録媒体に追記をすることができないものとできる。
【０１１１】
上述した第１実施形態ないし第３実施形態の製造装置を用いて製造された複製ホログラム記録媒体８０Ｂないし複製ホログラム記録媒体８０Ｄは、図１に示す光学部を有する記録再生装置によって再生が可能な、反射する回折光を検出するタイプのホログラム記録媒体とされているが、透過する回折光を検出するタイプのホログラム記録媒体として形成するに際しては、複製ホログラム記録媒体８０Ａに反射層８０ｄを設けないものとすれば良いものである。
【０１１２】
上述したようにして得られた複製ホログラム記録媒体８０Ｂは、図１に示す光学部１０を有するホログラム再生装置の通常の再生方法で、容易に再生ができるものである。また、上述したようにして得られた複製ホログラム記録媒体８０Ｃは、図１に示す光学部１０を有するホログラム再生装置において、上述したようにイメージセンサ２９で得られる再生像を回転する再生方法で再生ができるものである。また、複製ホログラム記録媒体８０Ｄは、図１に示す光学部１０を有するホログラム再生装置において、通常の再生方法で、容易に再生ができるものである。
【０１１３】
（複製用原盤を製造する技術および複製ホログラム記録媒体を製造する技術の変形例）
（第１の変形例）
上述した複製用原盤を製造する技術および複製ホログラム記録媒体を製造する技術の第１の変形例として以下にその技術を説明する。
【０１１４】
第１の変形例は、複製用原盤を製造する技術としては、図４、図６、図９、図１１の各々に示す光学部と同様の構成を有しながら、複製用原盤６０Ａに替えて、図２０に示す複製用原盤６０Ｅを用いる点に特徴がある。
【０１１５】
図２０に示す複製用原盤６０Ｅは、複製用原盤６０Ａとは異なり、複製用原盤に光ビームの偏光方向および光ビームの入射角度に応じて透過率が異なる特性の偏光依存性角度選択膜６０ｄを有する点で異なるものである。この偏光依存性角度選択膜６０ｄと、図１２に示す角度選択膜９０ａとの差異は、角度選択膜９０ａでは光ビームの入射角度に応じて透過率が異なるのに対して、偏光依存性角度選択膜６０ｄでは、さらに、光ビームの偏光方向によっても透過率が異なる特性を有する点である。
【０１１６】
図２１は、偏光依存性角度選択膜６０ｄの特性を示すものである。図２１の縦軸は透過率を示し、横軸は入射角度を示し、符号Ｐを付したグラフはＰ偏光波の透過率を示し、符号Ｓを付したグラフはＳ偏光波の透過率を示すものである。図２１に示すように、Ｐ偏光波は入射角度に依存せずに透過率は１００％（すべて透過）であり、Ｓ偏光波は入射角度が大きい場合には透過し、入射角度が小さい場合には透過せず、透過の量は入射角度に依存したものとなっている。このような、偏光依存性角度選択膜６０ｄを保持基板６０ｂの上に形成する技術は公知技術であり、このような偏光依存性角度選択膜６０ｄを有する複製用原盤６０Ｅの製造自体に特段の技術的な困難性はない。
【０１１７】
複製用原盤を製造する段階では、複製用原盤６０Ａに替えて、複製用原盤６０Ｅを用い、その他の部分の構成においては、図２、図６、図９、図１１の各々に示すと同様の光学部を具備するホログラムの複製用原盤の製造装置によって複製用原盤が製造される。このようにして製造されたホログラムが形成された複製用原盤に複製用原盤６０Ｆの符号を付して以下の説明に用いる。なお、上述したように、偏光依存性角度選択膜６０ｄ有し、ホログラムが未記録の複製用原盤に複製用原盤６０Ｅの符号を付すとともに、ホログラムを記録中であって、記録が予定されているすべての領域には未だ記録が完了していない複製用原盤にも複製用原盤６０Ｅの符号を付して以下の説明に用いる。図２１において、複製用参照光角度領域ＡｒＣとして示す領域は、複製用参照光の入射角度として予定されている角度の範囲であり、回折光角度領域ＡｒＤとして示す領域は回折光の入射角度として予定されている角度の範囲である。
【０１１８】
複製用原盤６０Ｅから複製用原盤６０Ｆを製造する過程を説明する。この製造過程は、図２、図６、図９、図１１の各々の図を引用して既に説明したのと略同様の製造の過程を採用するものである。図２０を参照してこの過程を説明する。
【０１１９】
図２０において、被変調コアクシャル光７５ｂｐとして示されるのは、上述した被変調コアクシャル光７５ｂと同様に空間変調を受けたコアクシャル光であって、さらに、Ｓ偏光波とされる被変調コアクシャル光である。また、原盤製造用参照光７６ｂｐとして示されるのは、上述した原盤製造用参照光７６ｂと同様の光路を経て複製用原盤６０Ｅに入射する原盤製造用参照光であって、Ｓ偏光波とされる原盤製造用参照光である。ここで、被変調コアクシャル光７５ｂｐおよび原盤製造用参照光７６ｂｐのいずれをもＳ偏光波とするには、図２、図６、図９および図１１に示す各々の光学部おいては、半波長板４１および半波長板４２の各々を回転させて調整することによって可能とされる。
【０１２０】
また、図２０には、対物レンズ３８とダミーガラス６１ｂとを用いて、集光をするとともに、複製ホログラム記録媒体８０Ａにおいて発生する収差を予め補正する例が示されているが、対物レンズ３８とダミーガラス６１ｂとの組み合わせに替えて、ダミーガラス６１ｂを用いることなく、収差を補正した対物レンズ３９を用いて、複製ホログラム記録媒体８０Ａにおいて発生する収差を予め補正するようにしても良いものである。
【０１２１】
上述のようにして、Ｐ偏光波とされた被変調コアクシャル光７５ｂｐと原盤製造用参照光７６ｂｐとのいずれもが複製用原盤６０Ｅへ入射するが、これらは、いずれもＰ偏光波であるので入射角度には関係なく、偏光依存性角度選択膜６０ｄを１００％透過する。そして、フォトポリマーで形成された記録層６０ａで被変調コアクシャル光７５ｂｐと原盤製造用参照光７６ｂｐとが干渉して、ホログラムを形成する。このようにして、記録層６０ａの予定されているすべての領域にホログラムを記録し、上述したモノマーをポリマーとする後処理を施し、複製用原盤６０Ｆが完成する。ここで、複製用原盤６０Ｆの記録層６０ａに記録されたホログラムの態様は、複製用原盤６０Ｂと同様であり、複製用原盤６０Ｇの記録層６０ａに記録されたホログラムの態様は、複製用原盤６０Ｃと同様であり、複製用原盤６０Ｈの記録層６０ａに記録されたホログラムの態様は、複製用原盤６０Ｄと同様であるものとして、完成した複製用原盤について、複製用原盤６０Ｆ、複製用原盤６０Ｇ、複製用原盤６０Ｈの各々の用語を用いるものとする。
【０１２２】
図２２を参照して、ホログラムが未記録の複製ホログラム記録媒体８０Ａにホログラムを記録して、複製ホログラム記録媒体８０Ｂ、複製ホログラム記録媒体８０Ｃおよび複製ホログラム記録媒体８０Ｄの各々を製造する技術の説明をおこなう。ここで、複製用原盤６０Ｆを用いて製造されたホログラム記録媒体にホログラム記録媒体８０Ｂの符号を付し、複製用原盤６０Ｇを用いて製造されたホログラム記録媒体にホログラム記録媒体８０Ｃの符号を付し、複製用原盤６０Ｈを用いて製造されたホログラム記録媒体にホログラム記録媒体８０Ｄの符号を、各々付すものである。
【０１２３】
複製用原盤６０Ｆないし複製用原盤６０Ｈのいずれかを用いた複製ホログラム記録媒体８０Ｂないし複製ホログラム記録媒体８０Ｄのいずれかの複製は、複製用原盤６０Ｆないし複製用原盤６０Ｈのいずれかの偏光依存性角度選択膜６０ｄと複製ホログラム記録媒体８０Ａのいずれかの保持基板８０ｃとを対向させ、原盤製造用参照光７６ｂｐと位相共役であるが、Ｓ偏光波である複製用参照光８５Ｓを複製用原盤６０Ｆないし複製用原盤６０Ｈのいずれかの保持基板６０ｃ側から照射することによっておこなう。この場合に、複製用参照光８５Ｓの入射角度の範囲は、複製用参照光角度領域ＡｒＣとして示す領域の範囲内とすれば、複製用参照光８５Ｓは偏光依存性角度選択膜６０ｄを透過することはなく、その結果として、複製用参照光８５Ｓは、複製ホログラム記録媒体８０Ａの記録層８０ａに達することはない。
【０１２４】
一方、Ｓ偏光波である複製用参照光８５Ｓを照射することによって発生する複製用原盤６０Ｆないし複製用原盤６０Ｈのいずれかからの回折光９５Ｓは、図２２に図示するように、複製用原盤６０Ｆないし複製用原盤６０Ｈのいずれかの偏光依存性角度選択膜６０ｄに垂直に近い回折光角度領域ＡｒＤの範囲内の角度で入射するものとなる。したがって、回折光９５Ｓは偏光依存性角度選択膜６０ｄを透過して、その結果として、回折光９５Ｓは、複製ホログラム記録媒体８０Ａの記録層８０ａに回折光９５Ｓに応じたホログラムを形成する。かくして、ホログラムの形成に寄与した回折光９５Ｓ（第１の回折光）は、複製ホログラム記録媒体８０Ａの反射層８０ｄにおいて反射して、再び複製ホログラム記録媒体８０Ａの記録層８０ａを照射して、再び回折光８７Ｓを発生させるものとなるが、この回折光８７Ｓは、図２３に図示するようにして複製用原盤６０Ｆないし複製用原盤６０Ｈのいずれかから抜け出す。
【０１２５】
ここで、複製用参照光８５Ｓの光ビーム形状は、複製用原盤６０Ｆを用いる場合には、複製用参照光８５Ｓの光ビーム形状を、図１４および図１５に示す複製用参照光８５ａと同様にスポット形状光ビームとし、または、図１６および図１７に示す複製用参照光８５ｂと同様に１次元帯状の光ビームとしても良いものである。また、複製用原盤６０Ｇおよび複製用原盤６０Ｈを用いる場合には、図１８および図１９に示す複製用参照光８５ｃと同様に２次元拡大光ビームとすることができる。
【０１２６】
上述のようにして製造された複製ホログラム記録媒体８０Ｂないし複製ホログラム記録媒体８０Ｄの各々は、複製ホログラム記録媒体として多量に複製して、頒布することができる。この場合に、複製ホログラム記録媒体の特定の領域をホログラムの未記録領域として残しておけば、このような複製ホログラム記録媒体を入手した者は、必要な記録データを、この未記録領域に書き込む（追記をする）ことが可能となる。
【０１２７】
また、複製ホログラム記録媒体８０Ｂないし複製ホログラム記録媒体８０Ｄに追記をしない場合には、ホログラム記録媒体に干渉性の悪い光を照射させて後処理を行うことが望ましい。これは複製ホログラム記録媒体に残存したモノマーをポリマーに全て変えてしまう処理である。照射する光はメディアが感光する波長を有し、干渉性の悪い光であれば良く、例えば、複製ホログラム記録媒体にＬＥＤからの光ビームを一括照射させれば良いものである。これによって、複製ホログラム記録媒体に追記をすることができないものとできる。
【０１２８】
（第２の変形例）
図２３を参照して、複製ホログラム記録媒体を製造する段階における第２の技術の変形例について説明する。この変形例は、反射型の複製ホログラム記録媒体ではなく、透過する回折光を得るタイプの複製ホログラム記録媒体を製造する場合に好適なる技術である。
【０１２９】
図２３に示すように、反射層が設けられていない、記録層８０ａ、保持基板８０ｂ、保持基板８０ｃを有する、ホログラムが未記録の複製ホログラム記録媒体である複製ホログラム記録媒体８０Ｅと複製用原盤６０Ｆないし複製用原盤６０Ｈとを上述した実施形態におけるよりも離間して配置する。図２４に示す程度に離間させることによって、集光させた後の回折光９５によって複製ホログラム記録媒体８０Ｅにホログラムを形成して、複製用原盤６０Ｆを用いた場合には複製ホログラム記録媒体８０Ｆ、複製用原盤６０Ｇを用いた場合には複製ホログラム記録媒体８０Ｇ、複製用原盤６０Ｈを用いた場合には複製ホログラム記録媒体８０Ｈの各々を製造するものである。
【０１３０】
このような配置を採用する場合には、図２２に示すと同様に、Ｓ偏光波である複製用参照光８５Ｓを複製用原盤６０Ｆに照射して生じる回折光９５Ｓを複製ホログラム記録媒体８０Ｅに照射する。しかしながら、回折光９５Ｓが照射される方向は保持基板６０ｂの側からである。この場合に、同様に、複製用参照光８５Ｓの入射角度の範囲は、複製用参照光角度領域ＡｒＣとして示す領域の範囲内とすれば、複製用参照光８５Ｓは偏光依存性角度選択膜６０ｄを透過することはなく、その結果として、複製用参照光８５Ｓは、複製ホログラム記録媒体８０Ｅの記録層８０ａに達することはない。
【０１３１】
一方、複製用参照光８５Ｓを照射することによって発生する複製用原盤６０Ｆないし複製用原盤６０Ｈからの回折光９５Ｓは、回折光角度領域ＡｒＤの範囲内の角度で入射するものとなる。したがって、回折光９５Ｓは偏光依存性角度選択膜６０ｄを透過して、その結果として、回折光９５Ｓは、複製ホログラム記録媒体８０Ａの記録層８０ａに回折光９５Ｓに応じたホログラムを形成する。しかしながら、この回折光９５は、図２２に示すと異なり反射層を有しないので、再び、複製用原盤６０Ｆないし複製用原盤６０Ｈの側に戻ることなく、保持基板８０ｃから抜け出す。なお、複製用参照光８５Ｓの照射方法は、複製用原盤６０Ｆを用いる場合には、複製用参照光８５Ｓの形状を図１４および図１５に示す複製用参照光８５ａと同様にスポット形状光ビームとし、または、図１６および図１７に示す複製用参照光８５ｂと同様に１次元帯状の光ビームとしても良いものである。複製用原盤６０Ｇおよび複製用原盤６０Ｈを用いる場合には、複製用参照光８５Ｓの形状を図１８および図１９に示す複製用参照光８５ｃと同様に２次元拡大光ビームとすることができる。
【０１３２】
上述のようにして製造された複製ホログラム記録媒体８０Ｆないし複製ホログラム記録媒体８０Ｈの各々は、複製ホログラム記録媒体として多量に複製して、頒布することができる。この場合に、複製ホログラム記録媒体の特定の領域をホログラムの未記録領域として残しておけば、このような複製ホログラム記録媒体を入手した者は、必要な記録データを、この未記録領域に書き込む（追記をする）ことが可能となる。また、複製ホログラム記録媒体８０Ｆないし複製ホログラム記録媒体８０Ｈに追記をしない場合には、ホログラム記録媒体に干渉性の悪い光を照射させて後処理を行うことが望ましい。
【０１３３】
図２４は、このようにして製造された反射層を有しない複製ホログラム記録媒体８０Ｆないし複製ホログラム記録媒体８０Ｈから反射層を有する複製ホログラム媒体を製造する過程を示す図である。図２４の（Ａ）は、複製ホログラム記録媒体８０Ｆないし複製ホログラム記録媒体８０Ｈのいずれかを示すものである。図２４の（Ｂ）はスパッタリング等の処理によって反射層８０ｄを設ける過程を示すものである。図２４の（Ｃ）はスピンコート等の処理によって保護膜８０ｅを設ける過程を示すものである。
【０１３４】
（第３の変形例）
図２５に示す第３の変形例の説明をする。第３の変形例は、複製用原盤６０Ｅにホログラムを記録するに際して、被変調コアクシャル光７５ｂｐが一旦集光された後に、記録層６０ａにホログラムを記録するようにするものである。ここで、被変調コアクシャル光７５ｂｐを集光する対物レンズは、予め複製ホログラム媒体で発生する収差を補正した対物レンズ３９が用いられている。このような対物レンズ３９を用いる場合には、図２０に示すようなダミーガラス６１ａは不要とできるので、対物レンズ３９と複製用原盤６０Ｅとの距離を近接したものとできるという利点がある。上述した、第３の変形例で得られる複製用原盤は、複製用原盤６０Ｆないし複製用原盤６０Ｈと同様の形態を有するものである。
【０１３５】
上述した第１の変形例ないし第３の変形例のいずれにおいても、対物レンズ３８とダミーガラス６１ａとの組み合わせを採用するか、対物レンズ３９を採用するかは任意に選択できるものである。また、第１の変形例ないし第３の変形例のいずれにおいても、被変調コアクシャル光および原盤製造用参照光としてＰ偏光波とし、複製用参照光としてＳ偏光波とする組み合わせを採用する例について説明したが、図２１に示す透過率特性がＰ偏光波とＳ偏光波とで逆となるような膜の設計をおこなうことによって、被変調コアクシャル光および原盤製造用参照光としてＳ偏光波とし、複製用参照光としてＰ偏光波とする組み合わせを採用することができるものである。また、第１の変形例ないし第３の変形例のいずれにおいても、複製用原盤に偏光依存性角度選択膜６０ｄを形成した複製用原盤６０Ｅの例について説明したが、図１２において、角度選択板９０と示すと類似した構造を有する偏光依存性角度選択膜をガラス基板に配した偏光依存性角度選択板を別部材として形成し、図１２において、角度選択板９０に替えてこの偏光依存性角度選択板を用いて複製ホログラム記録媒体を製造するようにしても良いものである。
【０１３６】
（複製用原盤の形状、複製ホログラム記録媒体の形状の変形例）
上述した複製用原盤の形状、複製ホログラム記録媒体の形状は、いずれも円盤状とした場合について説明をおこなってきたが、複製用原盤の形状、複製ホログラム記録媒体の形状はカード形状（長方形または正方形）であっても良い。この場合にも、上述したと同様の原理を用いて複製用原盤、複製ホログラム記録媒体の製造をおこなうことができ、さらに、上述したと同様の原理を用いた複製用原盤の製造装置、複製ホログラム記録媒体の製造装置を提供することができる。
【０１３７】
すなわち、複製用原盤の製造においては、円盤形状では、タンジェンシャル方向（周方向）およびラジアル方向（半径方向）への光スポットの移動によって複製用原盤の２次元面にホログラムの形成をおこなったが、カード形状では、Ｘ軸、Ｙ軸の直交する２方向に、光スポットとカード形状の複製用原盤との相対位置を走査して２次元面にホログラムの形成をおこなうことになる。そして、複製用原盤の製造装置では、Ｘ軸、Ｙ軸方向に光スポットとカード形状の複製用原盤との相対位置を変化させる機構を備える点以外は、上述の円盤形状における製造装置の構成がそのまま採用できるものである。
【０１３８】
また、複製ホログラム記録媒体の製造においては、光スポットを２次元に走査して複製ホログラム記録媒体を製造する場合は、円盤形状ではタンジェンシャル方向（周方向）およびラジアル方向（半径方向）への光スポットの移動によって複製ホログラム記録媒体にホログラムの形成をおこなったが、カード形状では、Ｘ軸、Ｙ軸の直交する２方向に光スポットとカード形状の複製用原盤との相対位置を移動させて複製ホログラム記録媒体へのホログラムの形成をおこなうことになる。また、光ビームを１次元方向に走査して複製ホログラム記録媒体を製造する場合は１次元方向に延びる１次元光ビームを光ビームが延びる方向と直交する方向に走査して複製ホログラム記録媒体へのホログラムの形成をおこなうことになる。また、２次元の面積を有する光ビームを用いる場合には円盤形状と同様に一括照射をする。
【０１３９】
また、複製用原盤の製造装置においては、円盤状である場合には参照光の入射方向と複製用原盤の回転との同期を取る等の操作が複製ホログラム記録媒体の製造を容易とするために必要とされたが、Ｘ軸、Ｙ軸の直交座標系を基準として動作するカード形状にあっては、このような複雑な処理は必要とされないので、複製用原盤の製造装置の機構は簡略化できる。
【０１４０】
上述した実施形態は、いずれも、本発明の一実施形態に過ぎず、上述の実施形態に本発明が限定されるものではない。例えば、複製用原盤、複製ホログラム記録媒体の形状は、円盤状の形状、カード状の形状に限定されるものではなく、複製用原盤および複製ホログラム記録媒体の各層の構造は上述した形態のみに限定されるものではなく、技術的な思想を同一とする範囲内の変形および組み合わせの実施形態も当然に本発明の範囲に含まれるものである。
【図面の簡単な説明】
【０１４１】
【図１】コアクシャル方式のホログラム記録装置の要部としての光学部の概念図である。
【図２】空間光変調器の参照光空間光変調部と信号光空間光変調部とを示す図である。
【図３】信号光と参照光とを模式的に示す図である。
【図４】複製用原盤の製造装置の要部としての光学部の概念図である。
【図５】図４の部分拡大図である。
【図６】複製用原盤の製造装置の要部としての光学部の概念図である。
【図７】複製用原盤の表面側から見たホログラム形成領域と原盤製造用参照光との関係を示す図である。
【図８】複製用原盤の回転角度が異なる位置に記録されたホログラムと原盤製造用参照光との関係を示す図である。
【図９】複製用原盤の製造装置の要部としての光学部の概念図である。
【図１０】複製用原盤の回転角度が異なる位置に記録されたホログラムと原盤製造用参照光との関係を示す図である。
【図１１】複製用原盤の製造装置の要部としての光学部の概念図である。
【図１２】複製用原盤を用いて複製ホログラム記録媒体を製造する技術の原理を説明する図である。
【図１３】角度選択膜の特性を示す図である。
【図１４】複製ホログラム記録媒体製造装置の概念図である。
【図１５】複製ホログラム記録媒体の上側から見た透視図によって、光スポットとして形成された複製用参照光を示す図である。
【図１６】複製ホログラム記録媒体製造装置の概念図である。
【図１７】複製ホログラム記録媒体の上側から見た透視図によって、光の帯として形成された複製用参照光を示す図である。
【図１８】複製ホログラム記録媒体製造装置の概念図である。
【図１９】複製ホログラム記録媒体の上側から見た透視図によって、２次元に拡げられた複製用参照光を示す図である。
【図２０】図４に示す光学部の複製用原盤６０Ａを、偏光依存性角度選択膜を有する複製用原盤６０Ｅに置き換えたときの部分拡大図である。
【図２１】偏光依存性角度選択膜の特性を示す図である。
【図２２】複製ホログラム記録媒体のホログラム形成領域の部分拡大図である。
【図２３】回折光の集光位置が異なる複製ホログラム記録媒体のホログラム形成領域の部分拡大図である。
【図２４】複製ホログラム記録媒体の反射層の製造工程を示す図である。
【図２５】被変調コアクシャル光の集光の位置が異なる場合のホログラム形成領域の部分拡大図である。
【符号の説明】
【０１４２】
１０、１００、１１０、１２０、１３０、１３５  光学部、２０、３０、８８  レーザ光源、２２  偏光ビームスプリッタ、２３、３３ａ、３３ｂ  空間光変調器、２４  フーリエ変換レンズ、２５、３５  アイリス、２６、３４、３６  フーリエ変換レンズ、２７  １／４波長板、２８、３８，３９  対物レンズ、２９、１２９  イメージセンサ、３１ａ  参照光空間光変調部、３１ｂ  信号光空間光変調部、３２ａ、３２ｂ  偏光ビームスプリッタ、４０  半波長板、４４  アパーチャー、４５ａ、４５ｂ、４５ｃ、９１ｂ、９１ｃ  ミラー、４７ａ、４７ｂ、９７ａ、９７ｂ  装着用部材、４８  スピンドルモータ、４８ａ  スピンドルモータ回転軸４８ｂ  スピンドルモータ固定部、４８ｃ  回転角度検出器、４９  移動台座、５０  ホログラム記録媒体、５０ａ、６０ａ、８０ａ  記録層、５０ｄ、８０ｄ  反射層、５０ｅ、８０ｅ  保護層、５０ｂ、５０ｃ、６０ｂ、６０ｃ、８０ｂ、８０ｃ、９０ｂ  保持基板、５１ｃ  回転角度検出器、５１  光学部回転モータ、５１ａ  光学部回転モータ回転軸、５１ｂ  光学部回転モータ固定部、５２  制御部、６０Ａ、６０Ｂ、６０Ｃ、６０Ｄ、６０Ｅ、６０Ｆ、６０Ｇ、６０Ｈ  複製用原盤、６０ｄ  偏光依存性角度選択膜、６１ａ、６１ｂ  ダミーガラス、７１  可動光学部回転モータ、７１ａ  回転軸、７１ｂ  固定部、７３、７４  プーリ、７５ａ  コアクシャル光、７５ｂ、７５ｂｐ  被変調コアクシャル光、７５ｂｐ  被変調コアクシャル光、７６ａ、７６ｂ、７６ｂｐ  原盤製造用参照光、７７  可動部回転検出器、８０Ａ、８０Ｂ、８０Ｃ、８０Ｄ、８０Ｅ，８０Ｆ、８０Ｇ、８０Ｈ  ホログラム記録媒体、８５、８５ａ、８５ｂ、８５ｃ  複製用参照光、８７、８７Ｓ  回折光、９０  角度選択板、９０ａ  角度選択膜、９０  角度選択板、９２ａ、９２ｂ、９２ｃ、９２ｄ  アナモプリズム、９５、９５Ｓ  回折光、９８  スピンドルモータ、９８ａ  スピンドルモータ回転軸、１０３ａ  参照光、１０３ｂ  信号光、１４０、１５０、１６０  複製ホログラム記録媒体製造装置、Ｈａ、Ｈｂ、Ｈｃ、Ｈｄ  ホログラム
【図１】
2008027531.tif 000003
【図２】
2008027531.tif 000004
【図３】
2008027531.tif 000005
【図４】
2008027531.tif 000006
【図５】
2008027531.tif 000007
【図６】
2008027531.tif 000008
【図７】
2008027531.tif 000009
【図８】
2008027531.tif 000010
【図９】
2008027531.tif 000011
【図１０】
2008027531.tif 000012
【図１１】
2008027531.tif 000013
【図１２】
2008027531.tif 000014
【図１３】
2008027531.tif 000015
【図１４】
2008027531.tif 000016
【図１５】
2008027531.tif 000017
【図１６】
2008027531.tif 000018
【図１７】
2008027531.tif 000019
【図１８】
2008027531.tif 000020
【図１９】
2008027531.tif 000021
【図２０】
2008027531.tif 000022
【図２１】
2008027531.tif 000023
【図２２】
2008027531.tif 000024
【図２３】
2008027531.tif 000025
【図２４】
2008027531.tif 000026
【図２５】
2008027531.tif 000027
【手続補正書】
【提出日】平成19年7月17日(2007.7.17)
【手続補正１】
【補正対象書類名】明細書
【補正対象項目名】００４７
【補正方法】変更
【補正の内容】
【００４７】
そして、原盤製造用参照光７６ｂと被変調コアクシャル光７５ｂとは記録層６０ａの中で干渉し、ホログラムが形成され、このホログラムが屈折率の変化として記録される。そしてホログラムを形成後に、原盤製造用参照光７６ｂおよび被変調コアクシャル光７５ｂは複製用原盤６０Ａの保持基板６０ｃの表面（図４、図５に示す下の面）より出て行く。
【手続補正２】
【補正対象書類名】明細書
【補正対象項目名】００７５
【補正方法】変更
【補正の内容】
【００７５】
光学部１３０において、被変調コアクシャル光７５ｂの光軸を中心として回転をする光学部品（以下、可動部光学部品と称する）は、偏光ビームスプリッタ３２ａ、ミラー４５ａ、アパーチャー４４、ミラー４５ｃである。これらの可動部光学部品の各々は相互に一体に固着され、図示しないベアリングを有する回転保持機構を用いて固定部光学部品の光軸、すなわち、被変調コアクシャル光７５ｂの光軸を中心にして滑らかに回転できるようになされている。そして、この可動部光学部品を回転する回転機構として、円盤形状のプーリ７３およびプーリ７４と、可動光学部回転モータ７１とが用いられる。プーリ７３の回転中心に可動光学部回転モータ７１の回転軸７１ａが固着され、プーリ７４の回転中心と固定部光学部品の光軸とが一致するようにプーリ７４と可動部光学部品とは固着されている。ここで、固定部光学部品が配置される固定側に可動部光学部品の回転角度を検出する可動部回転検出器７７が配されている。可動部回転検出器７７は、光ビームを出射してプーリ７４の表面に貼られた回転角度を表示する放射状のバーコードからの反射光を検出してプーリ７４の回転角度、すなわち、可動部光学部品の回転角度を検出するようになされている。
【手続補正３】
【補正対象書類名】明細書
【補正対象項目名】００９５
【補正方法】変更
【補正の内容】
【００９５】
より具体的には以下の手順で複製はおこなわれる。複製用原盤６０Ｂと複製ホログラム記録媒体８０Ａとをともに回転させるスピンドルモータ回転軸９８ａの回転は停止される。光ビームの進行方向に垂直な切断面における形状が略円形の形状とされた複製用参照光８５ａが、複製用原盤６０Ｂの内周から外周方向にレーザ光源８８の移動に応じて移動する。スピンドルモータ回転軸９８ａは、複製用原盤６０Ｂと複製ホログラム記録媒体８０Ａとを回転（回転の方向は、図１５では符合Ｒ２を付して矢印で示す）させた後に再び停止するが、このときの回転角度は、複製用原盤６０Ｂの最外周における移動距離が複製用参照光８５ａの断面の半径の長さ以内のものとされる。再び、複製用参照光８５ａが、複製用原盤６０Ｂの内周から外周方向にレーザ光源８８の移動に応じて移動する。以上の手順を繰り返して、複製用原盤６０Ｂの複製が予定されている全領域のホログラムを複製した複製ホログラム記録媒体８０Ｂを最終的に得ることができる。
【手続補正４】
【補正対象書類名】明細書
【補正対象項目名】０１０７
【補正方法】変更
【補正の内容】
【０１０７】
図１９は、複製ホログラム記録媒体８０Ａの上側から見た透視図によって、複製ホログラム記録媒体８０Ａと２次元に拡げられた複製用参照光８５ｃとの関係を示すものである。ここで、複製用参照光８５ｃは複製用原盤６０Ｃまたは複製用原盤６０Ｄを製造するに際して、図１０の（Ｄ）に示すようにして、矢印で示される原盤製造用参照光と同一の入射方向から照射される。すなわち、複製用参照光８５ｃが照射されることによって、複製用原盤６０Ｃを用いた場合に複製ホログラム記録媒体８０Ｃが製造され、複製用原盤６０Ｄを用いた場合に複製ホログラム記録媒体８０Ｄが製造される。この実施形態では、レーザ光源８８は複製用参照光８５ｃを発生させる機能を有し、ミラー９１ｃ、アナモプリズム９２ａ、アナモプリズム９２ｂ、アナモプリズム９２ｃ、アナモプリズム９２ｄの各々は、複製用原盤６０Ｃの所定領域に複製用参照光８５ｃを照射させる機能を有して、いずれもが、複製用参照光発生手段の一部として構成されている。
【手続補正５】
【補正対象書類名】明細書
【補正対象項目名】０１２９
【補正方法】変更
【補正の内容】
【０１２９】
図２３に示すように、反射層が設けられていない、記録層８０ａ、保持基板８０ｂ、保持基板８０ｃを有する、ホログラムが未記録の複製ホログラム記録媒体である複製ホログラム記録媒体８０Ｅと複製用原盤６０Ｆないし複製用原盤６０Ｈとを上述した実施形態におけるよりも離間して配置する。図２３に示す程度に離間させることによって、集光させた後の回折光９５によって複製ホログラム記録媒体８０Ｅにホログラムを形成して、複製用原盤６０Ｆを用いた場合には複製ホログラム記録媒体８０Ｆ、複製用原盤６０Ｇを用いた場合には複製ホログラム記録媒体８０Ｇ、複製用原盤６０Ｈを用いた場合には複製ホログラム記録媒体８０Ｈの各々を製造するものである。
【手続補正６】
【補正対象書類名】明細書
【補正対象項目名】０１３１
【補正方法】変更
【補正の内容】
【０１３１】
一方、複製用参照光８５Ｓを照射することによって発生する複製用原盤６０Ｆないし複製用原盤６０Ｈからの回折光９５Ｓは、回折光角度領域ＡｒＤの範囲内の角度で入射するものとなる。したがって、回折光９５Ｓは偏光依存性角度選択膜６０ｄを透過して、その結果として、回折光９５Ｓは、複製ホログラム記録媒体８０Ｅの記録層８０ａに回折光９５Ｓに応じたホログラムを形成する。しかしながら、この回折光９５は、図２２に示すと異なり反射層を有しないので、再び、複製用原盤６０Ｆないし複製用原盤６０Ｈの側に戻ることなく、保持基板８０ｃから抜け出す。なお、複製用参照光８５Ｓの照射方法は、複製用原盤６０Ｆを用いる場合には、複製用参照光８５Ｓの形状を図１４および図１５に示す複製用参照光８５ａと同様にスポット形状光ビームとし、または、図１６および図１７に示す複製用参照光８５ｂと同様に１次元帯状の光ビームとしても良いものである。複製用原盤６０Ｇおよび複製用原盤６０Ｈを用いる場合には、複製用参照光８５Ｓの形状を図１８および図１９に示す複製用参照光８５ｃと同様に２次元拡大光ビームとすることができる。